(57)【要約】  ポリエチレンイミン、およびポリエチレンイミンに共有結合している少なくとも１つのロイコ部分を含むロイコポリマーであって、ポリエチレンイミンが、３個以上のアミン窒素原子を含み、ポリエチレンイミン中１ｍｏｌ．％以上のアミン水素原子が、２−ヒドロキシプロピル、１−ヒドロキシプロパン−２−イル、およびポリアルコキシ基からなる群から選択される部分で置き代えられている、ロイコポリマー。ロイコポリマーを作製する方法、ロイコポリマーを含む洗濯ケア組成物、およびテキスタイルをそのような洗濯ケア組成物で処理する方法。【特許請求の範囲】
【請求項１】
ポリエチレンイミン、および前記ポリエチレンイミンに共有結合している少なくとも１つのロイコ部分を含むロイコポリマーであって、前記ポリエチレンイミンが、３個以上のアミン窒素原子を含み、前記ポリエチレンイミン中１ｍｏｌ．％以上のアミン水素原子が、２−ヒドロキシプロピル、１−ヒドロキシプロパン−２−イル、およびポリアルコキシ基からなる群から選択される部分で置き代えられている、ロイコポリマー。
【請求項２】
前記ポリエチレンイミンが、約６〜約１，０００，０００個のアミン窒素原子を含む、先行する請求項の何れか１項に記載のロイコポリマー。
【請求項３】
前記ポリエチレンイミンが、約１５〜約４５個のアミン窒素原子を含む、先行する請求項の何れか１項に記載のロイコポリマー。
【請求項４】
前記ポリエチレンイミン中、約２０ｍｏｌ．％〜約９５ｍｏｌ．％のアミン水素原子が、２−ヒドロキシプロピル基で置き代えられている、先行する請求項の何れか１項に記載のロイコポリマー。
【請求項５】
前記ポリエチレンイミン中、約５７ｍｏｌ．％〜約８０ｍｏｌ．％のアミン水素原子が、２−ヒドロキシプロピル基で置き代えられている、先行する請求項の何れか１項に記載のロイコポリマー。
【請求項６】
前記ポリエチレンイミン中、約３ｍｏｌ．％〜約１５ｍｏｌ．％のアミン水素原子が、ポリアルコキシ基で置き代えられている、先行する請求項の何れか１項に記載のロイコポリマー。
【請求項７】
前記ポリアルコキシ基が、エトキシおよびプロポキシからなる群から選択されるアルコキシ基を含む、先行する請求項の何れか１項に記載のロイコポリマー。
【請求項８】
前記ポリアルコキシ基が、３個以上の繰り返しアルコキシ基を含む、先行する請求項の何れか１項に記載のロイコポリマー。
【請求項９】
前記ポリアルコキシ基が、３〜約５０個の繰り返しアルコキシ基を含む、先行する請求項の何れか１項に記載のロイコポリマー。
【請求項１０】
前記ロイコ部分が、ジアリールメタンロイコ部分、トリアリールメタンロイコ部分、オキサジン部分、チアジン部分、ヒドロキノン部分およびアリールアミノフェノール部分からなる群から選択される、先行する請求項の何れか１項に記載のロイコポリマー。
【請求項１１】
前記ロイコ部分が、式（Ｉ）、（ＩＩ）、（ＩＩＩ）、（ＩＶ）または（Ｖ）の構造からの１個以上の水素原子の除去によって得られる一価または多価の部分である、先行する請求項の何れか１項に記載のロイコポリマー。
【化１】
2019534358.tif 000023
［式中、式Ｉ〜Ｖ対その酸化形態の比は、少なくとも１：３であり；ここで、環Ａ、ＢおよびＣのそれぞれの上の個々のＲｏ、ＲｍおよびＲｐ基は、水素、重水素およびＲ５からなる群から独立して選択され；ここで、それぞれのＲ５は、ハロゲン、ニトロ、アルキル、置換アルキル、アリール、置換アリール、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−および−Ｐ（Ｏ）（Ｏ−）２からなる群から独立して選択され；ここで、３つの環Ａ、ＢまたはＣの少なくとも１つの上のＲｏおよびＲｍ基のうちの少なくとも１つは、水素であり；それぞれのＲｐは、水素、−ＯＲ１および−ＮＲ１Ｒ２から独立して選択され、
Ｇは、水素、重水素、Ｃ１〜Ｃ１６アルコキシド、フェノキシド、ビスフェノキシド、ニトライト、ニトリル、アルキルアミン、イミダゾール、アリールアミン、ポリアルキレンオキシド、ハライド、アルキルスルフィド、アリールスルフィドおよびホスフィンオキシドからなる群から独立して選択され、
Ｒ１、Ｒ２およびＲ３は、水素、アルキル、置換アルキル、アリール、置換アリール、アルカリル、置換アルカリルおよびＲ４からなる群から独立して選択され；Ｒ４は、１種以上の有機モノマーで構成される有機基であり、前記モノマー分子量は、２８〜５００の範囲であり、
ｅおよびｆは、独立して、０〜４の整数であり、
それぞれのＲ２０およびＲ２１は、ハロゲン、ニトロ基、アルキル基、置換アルキル基、−ＮＣ（Ｏ）ＯＲ１、−ＮＣ（Ｏ）ＳＲ１、−ＯＲ１および−ＮＲ１Ｒ２からなる群から独立して選択され、
それぞれのＲ２５は、単糖部分、二糖部分、オリゴ糖部分、多糖部分、−Ｃ（Ｏ）Ｒ１、−Ｃ（Ｏ）ＯＲ１、−Ｃ（Ｏ）ＮＲ１Ｒ２からなる群から独立して選択され、
それぞれのＲ２２およびＲ２３は、水素、アルキル基および置換アルキル基からなる群から独立して選択され、
Ｒ３０は、架橋アミン部分に対してオルトまたはパラに位置し、−ＯＲ３８および−ＮＲ３６Ｒ３７からなる群から選択され、ここで、それぞれのＲ３６およびＲ３７は、水素、アルキル基、置換アルキル基、アリール基、置換アリール基、アシル基、Ｒ４、−Ｃ（Ｏ）ＯＲ１、−Ｃ（Ｏ）Ｒ１および−Ｃ（Ｏ）ＮＲ１Ｒ２からなる群から独立して選択され、
Ｒ３８は、水素、アシル基、−Ｃ（Ｏ）ＯＲ１、−Ｃ（Ｏ）Ｒ１および−Ｃ（Ｏ）ＮＲ１Ｒ２からなる群から選択され、
ｇおよびｈは、独立して、０〜４の整数であり、
それぞれのＲ３１およびＲ３２は、アルキル基、置換アルキル基、アリール基、置換アリール基、アルカリル、置換アルカリル、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−および−Ｐ（Ｏ）（Ｏ−）２からなる群から独立して選択され、
−ＮＲ３４Ｒ３５は、架橋アミン部分に対してオルトまたはパラに位置し、Ｒ３４およびＲ３５は、水素、アルキル、置換アルキル、アリール、置換アリール、アルカリル、置換アルカリルおよびＲ４からなる群から独立して選択され、
Ｒ３３は、水素、−Ｓ（Ｏ）２Ｒ１、−Ｃ（Ｏ）Ｎ（Ｈ）Ｒ１、−Ｃ（Ｏ）ＯＲ１および−Ｃ（Ｏ）Ｒ１からなる群から独立して選択され；ここで、ｇが２〜４である場合、任意の２つの隣接するＲ３１基は、組み合わさって、５員以上の縮合環を形成していてもよく、前記縮合環中の原子の２個以下は、窒素原子であってもよく、
Ｘ４０は、酸素原子、硫黄原子およびＮＲ４５からなる群から選択され；ここで、Ｒ４５は、水素、重水素、アルキル、置換アルキル、アリール、置換アリール、アルカリル、置換アルカリル、−Ｓ（Ｏ）２ＯＨ、−Ｓ（Ｏ）２Ｏ−、−Ｃ（Ｏ）ＯＲ１、−Ｃ（Ｏ）Ｒ１および−Ｃ（Ｏ）ＮＲ１Ｒ２からなる群から独立して選択され、
Ｒ４０およびＲ４１は、−ＯＲ１および−ＮＲ１Ｒ２からなる群から独立して選択され、
ｊおよびｋは、独立して、０〜３の整数であり、
Ｒ４２およびＲ４３は、アルキル、置換アルキル、アリール、置換アリール、アルカリル、置換アルカリル、−Ｓ（Ｏ）２Ｒ１、−Ｃ（Ｏ）ＮＲ１Ｒ２、−ＮＣ（Ｏ）ＯＲ１、−ＮＣ（Ｏ）ＳＲ１、−Ｃ（Ｏ）ＯＲ１、−Ｃ（Ｏ）Ｒ１、−ＯＲ１、−ＮＲ１Ｒ２からなる群から独立して選択され、
Ｒ４４は、−Ｃ（Ｏ）Ｒ１、−Ｃ（Ｏ）ＮＲ１Ｒ２および−Ｃ（Ｏ）ＯＲ１であり、
前記化合物の何れか中に存在する任意の電荷は、好適な独立して選択される内部または外部対イオンと均衡がとれている］。
【請求項１２】
前記ロイコ部分が、式（Ｉ）の一部分である、請求項１１に記載のロイコポリマー。
【請求項１３】
異なるＡ、ＢおよびＣ環上の２つのＲｏ基が、組み合わさって、５員以上の縮合環を形成する、請求項１２に記載のロイコポリマー。
【請求項１４】
前記縮合環が、６員以上であり、異なるＡ、ＢおよびＣ環上の２つのＲｏ基が、組み合わさって、１個以上のヘテロ原子を含有する有機リンカーを形成する、請求項１３に記載のロイコポリマー。
【請求項１５】
異なるＡ、ＢおよびＣ環上の２つのＲｏが、組み合わさって、−Ｏ−および−Ｓ−から選択されるヘテロ原子架橋を形成して、６員縮合環を作成する、請求項１４に記載のロイコポリマー。
【請求項１６】
同じ環上のＲｏおよびＲｍまたは同じ環上のＲｍおよびＲｐの何れかが、組み合わさって、縮合脂肪族環または縮合芳香族環を形成する、請求項１２に記載のロイコポリマー。
【請求項１７】
３つの環Ａ、ＢまたはＣのうちの少なくとも１つの上のＲｏおよびＲｍ基の４つすべてが、水素である、請求項１２に記載のロイコポリマー。
【請求項１８】
３つすべての環Ａ、ＢまたはＣの上のＲｏおよびＲｍ基のすべてが、水素である、請求項１２に記載のロイコポリマー。
【請求項１９】
３つのＲｐがすべて、−ＮＲ１Ｒ２である、請求項１２に記載のロイコポリマー。
【請求項２０】
前記ロイコポリマーが、前記ポリエチレンイミンと共有結合した発色団部分をさらに含み、前記発色団部分が、ジアリールメタン部分、トリアリールメタン部分、オキサジン部分、チアジン部分、アントラキノン部分およびインドアニリン部分からなる群から選択される、先行する請求項の何れか１項に記載のロイコポリマー。
【発明の詳細な説明】
【技術分野】
【０００１】
本出願は、ロイコ着色剤を含有する洗濯ケア組成物およびテキスタイル物品の洗濯におけるそれらの使用について記述する。これらのタイプの着色剤は、安定した、実質的に無色の状態で提供され、次いで、ある特定の物理的または化学的変化への曝露、たとえば酸素への曝露、イオン添加、光への曝露などの時に、強い着色状態に転換され得る。ロイコ着色剤を含有する洗濯ケア組成物は、洗濯ケア組成物で洗浄もしくは別様に処理したテキスタイル物品の明らかなもしくは視覚的に認識される白さを増強するように、またはそれらに所望の色相を付与するように、設計される。
背景
テキスタイル基材が経年するにつれて、それらの色は、基材を含む繊維の、光、空気、汚れへの曝露、および自然劣化により、褪せるまたは黄ばむ傾向がある。そのため、これらのテキスタイル基材を視覚的に増強し、色褪せおよび黄ばみに対抗するために、消費者製品を着色するためのポリマー性着色剤の使用が先行技術において周知となった。たとえば、テキスタイル用途において、光学的増白剤または青味剤の何れかの白色化剤を使用することが周知である。しかしながら、伝統的な白色化剤は、消費者の目を引く白さという利益を提供するレベルで使用される場合、完成品の美観に悪影響を及ぼすか、または、高度に堆積すれば、経時的な蓄積および過剰な色相付与の問題を有するかの何れかとなり得る。
【０００２】
ロイコ染料も、具体的な化学的または物理的な誘因への曝露時に、無色またはわずかに着色した状態から着色状態への変化を呈することが、先行技術において公知である。出現する彩色の変化は、典型的には、ヒトの目に視覚的に知覚可能である。すべての既存の化合物は、可視光領域（４００〜７５０ｎｍ）において若干の吸光度を有し、故に、多かれ少なかれ、若干の色を有する。本発明において、染料は、その適用濃度および条件では顕著な色を生じさせず、その誘発された形態では顕著な色を生じさせるならば、「ロイコ染料」とみなされる。誘発時の色変化は、４００〜７５０ｎｍの範囲内、好ましくは５００〜６５０ｎｍの範囲内、最も好ましくは５３０〜６２０ｎｍの範囲内で、ロイコ染料分子のモル減衰係数（いくつかの文献において、モル吸光係数、モル吸収係数および／またはモル吸収率としても公知である）の変化から生じる。誘発前後におけるロイコ染料のモル減衰係数の増大は、５０％より大きい、より好ましくは２００％より大きい、最も好ましくは５００％より大きいものとなるべきである。
【０００３】
そのため、堆積して所望の白さという利益を提供するが、複数回の洗浄後に、完成品の美観に悪影響を及ぼさず、過剰な色相付与も引き起こさない、有効な白色化剤が依然として必要である。
【０００４】
このたび、驚くべきことに、現在特許請求されているロイコポリマーは、悪影響なしに、所望の白さという消費者利益を提供することが分かった。
発明の概要
第１の態様において、本発明は、ポリエチレンイミン、およびポリエチレンイミンに共有結合している少なくとも１つのロイコ部分を含むロイコポリマーであって、ポリエチレンイミンが、３個以上のアミン窒素原子を含み、ポリエチレンイミン中１ｍｏｌ．％以上のアミン水素原子が、２−ヒドロキシプロピル、１−ヒドロキシプロパン−２−イル、およびポリアルコキシ基からなる群から選択される部分で置き代えられている、ロイコポリマーを提供する。
【０００５】
第２の態様において、本発明は、（ａ）ポリエチレンイミンを反応性ロイコ化合物と反応させて、ポリエチレンイミン−ロイコ中間体を生成し、（ｂ）ポリエチレンイミン−ロイコ中間体をプロピレンオキシドと反応させて、プロポキシル化ポリエチレンイミン−ロイコ中間体を生成し、（ｃ）プロポキシル化ポリエチレンイミン−ロイコ中間体をポリアルコキシ化合物と反応させて、ロイコポリマーを生成することによって取得することができるロイコポリマーであって、ポリアルコキシ化合物が、エトキシ基、プロポキシ基、およびそれらの混合物からなる群から選択される繰り返しアルコキシ基を含む、ロイコポリマーを提供する。
【０００６】
第３の態様において、本発明は、（ａ）ポリエチレンイミンをプロピレンオキシドと反応させて、プロポキシル化ポリエチレンイミン中間体を生成し、（ｂ）プロポキシル化ポリエチレンイミン中間体をポリアルコキシ化合物と反応させて、アルコキシル化ポリエチレンイミン中間体を生成し（ポリアルコキシ化合物は、エトキシ基、プロポキシ基、およびそれらの混合物からなる群から選択される繰り返しアルコキシ基を含む）、（ｃ）アルコキシル化ポリエチレンイミン中間体を反応性ロイコ化合物と反応させて、ロイコポリマーを生成することによって取得することができる、ロイコポリマーを提供する。
【０００７】
第４の態様において、本発明は、（ａ）洗濯ケア活性物質、ならびに（ｂ）ポリエチレンイミン、およびポリエチレンイミンに共有結合している少なくとも１つのロイコ部分を含むロイコポリマーを含む洗濯ケア組成物であって、ポリエチレンイミンが、３個以上のアミン窒素原子を含み、ポリエチレンイミン中１ｍｏｌ．％以上のアミン水素原子が、２−ヒドロキシプロピル、１−ヒドロキシプロパン−２−イル、およびポリアルコキシ基からなる群から選択される部分で置き代えられている、洗濯ケア組成物を提供する。
【０００８】
第５の態様において、本発明は、テキスタイル材料を処理する家庭用方法であって、（ａ）テキスタイル材料をロイコポリマーの水溶液で処理する工程と、（ｂ）任意に、テキスタイル材料をリンスする工程と、（ｃ）任意に、テキスタイル材料を乾燥させる工程とを含む、方法を提供する。
詳細な説明
定義
ここで使用される場合、用語「アルコキシ」は、繰り返し単位を有するポリオールのＣ１〜Ｃ８アルコキシおよびアルコキシ誘導体、たとえばブチレンオキシド、グリシドールオキシド、エチレンオキシドまたはプロピレンオキシドを含むように意図されている。
【０００９】
ここで使用される場合、交換可能な用語「アルキレンオキシ」および「オキシアルキレン」ならびに交換可能な用語「ポリアルキレンオキシ」および「ポリオキシアルキレン」は、概して、下記の繰り返し単位：−Ｃ２Ｈ４Ｏ−、−Ｃ３Ｈ６Ｏ−、−Ｃ４Ｈ８Ｏ−、およびそれらの任意の組合せの１つ以上をそれぞれ含有する分子構造を指す。これらの基に対応する非限定的な構造は、たとえば、−ＣＨ２ＣＨ２Ｏ−、−ＣＨ２ＣＨ２ＣＨ２Ｏ−、−ＣＨ２ＣＨ２ＣＨ２ＣＨ２Ｏ−、−ＣＨ２ＣＨ（ＣＨ３）Ｏ−および−ＣＨ２ＣＨ（ＣＨ２ＣＨ３）Ｏ−を含む。さらに、ポリオキシアルキレン構成要素は、Ｃ２〜２０アルキレンオキシ基、グリシジル基、またはそれらの混合物から選択される１つ以上のモノマーからなる群から選択されていてもよい。
【００１０】
用語「エチレンオキシド」、「プロピレンオキシド」および「ブチレンオキシド」は、「ＥＯ」、「ＰＯ」および「ＢＯ」というそれらの典型的な呼称によってそれぞれここで示されていてもよい。
【００１１】
ここで使用される場合、用語「アルキル」および「アルキルでキャップされた」は、置換されているまたは無置換の炭化水素から水素原子を除去することによって形成された任意の一価の基を意味するように意図されている。非限定的な例は、Ｃ１〜Ｃ１８アルキル基および一側面においてＣ１〜Ｃ６アルキル基を含む、分枝または無分枝、置換されているまたは無置換のヒドロカルビル部分を含む。
【００１２】
ここで使用される場合、別段の定めがない限り、用語「アリール」は、Ｃ３〜Ｃ１２アリール基を含むように意図されている。用語「アリール」は、炭素環式とヘテロ環式の両方のアリール基を指す。
【００１３】
ここで使用される場合、用語「アルカリル」は、任意のアルキル置換アリール置換基およびアリール置換アルキル置換基を指す。より具体的に、該用語は、追加の置換基を含んでいても含んでいなくてもよい、Ｃ７〜１６アルキル置換アリール置換基およびＣ７〜１６アリール置換アルキル置換基を指すように意図されている。
【００１４】
ここで使用される場合、用語「洗剤組成物」は、洗濯ケア組成物のサブセットであり、織物を洗濯するための製品を含むがこれに限定されないクリーニング組成物を含む。そのような組成物は、洗浄工程の前に使用するための前処理組成物であってもよいし、リンス添加組成物、ならびにクリーニング補助剤、たとえば漂白添加剤および「ステインスティック」または前処理型であってもよい。
【００１５】
ここで使用される場合、用語「洗濯ケア組成物」は、別段の指示がない限り、織物を洗濯するための製品、織物柔軟組成物、織物増強組成物、織物清浄組成物ならびに織物のケアおよび維持のための他の製品を含むがこれらに限定されない、顆粒、粉末、液体、ゲル、ペースト、一回量包装、バー形態および／またはフレーク型の洗浄剤および／または織物処理組成物、ならびにそれらの組合せを含む。そのような組成物は、洗浄工程の前に使用するための前処理組成物であってもよいし、リンス添加組成物、ならびにクリーニング補助剤、たとえば漂白添加剤および／もしくは「ステインスティック」または前処理組成物もしくは基材を含んだ製品、たとえばドライヤー添加シートであってもよい。
【００１６】
ここで使用される場合、用語「ロイコ」（たとえば、化合物、部分、ラジカル、染料、モノマー、フラグメントまたはポリマーに関して使用される場合）は、具体的な化学的または物理的な誘因への曝露時に、第１の色状態（たとえば、無着色または実質的に無色）から第２のより高度に着色した状態へのシフトをもたらす１つ以上の化学的および／または物理的変化を受ける、実体（たとえば、有機化合物またはその一部）を指す。好適な化学的または物理的な誘因は、酸化、ｐＨ変化、温度変化、および電磁放射線（たとえば、光）曝露における変化を含むがこれらに限定されない。ロイコ実体において出現する好適な化学的または物理的変化は、酸化および非酸化的変化、たとえば分子内環化を含むがこれらに限定されない。故に、一側面において、好適なロイコ実体は、発色団の可逆的に還元された形態であり得る。一側面において、ロイコ部分は、好ましくは、上述した化学的および／または物理的な誘因の１つ以上への曝露時に、第１および第２のπ系を組み込む、第３の合わさったコンジュゲートπ系に変換されることができる、前記第１および第２のπ系を少なくとも含む。
【００１７】
ここで使用される場合、用語「ロイコ組成物」または「ロイコ着色剤組成物」は、ここでさらに詳細に記述されている通りの、独立して選択される構造を有する少なくとも２種のロイコ化合物を含む、組成物を指す。
【００１８】
ここで使用される場合、ロイコ着色剤の「平均分子量」は、その分子量分布によって決定される通り、重量平均分子量として報告され、それらの製造プロセスの結果として、ここで開示されているロイコ着色剤は、それらのポリマー部分に繰り返し単位の分布を含有していてもよい。
【００１９】
ここで使用される場合、用語「最大吸光係数」および「最大モル吸光係数」は、４００ナノメートル〜７５０ナノメートルの範囲内の、最大吸収（ここで、最大波長とも称される）の波長におけるモル吸光係数を記述するように意図されている。
【００２０】
ここで使用される場合、用語「第１の色」は、誘発前の洗濯ケア組成物の色を指すために使用され、無色および実質的に無色を含む任意の色を含むように意図されている。
【００２１】
ここで使用される場合、用語「第２の色」は、誘発後の洗濯ケア組成物の色を指すために使用され、視覚的検査、または分析技術、たとえば分光光度分析の使用を介しての何れかで、洗濯ケア組成物の第１の色から識別可能な任意の色を含むように意図されている。
【００２２】
ここで使用される場合、用語「変換剤」は、その公知の形態（一重項および三重項状態）の何れかにおける分子酸素以外の、当技術分野において公知である任意の酸化剤を指す。
【００２３】
ここで使用される場合、用語「誘発剤」は、ロイコ組成物を、無色または実質的に無色の状態から着色状態に変換するために好適な反応物質を指す。
【００２４】
ここで使用される場合、用語「白色化剤」は、白色綿において、布に、２１０〜３４５の相対色相角、またはさらには２４０〜３２０の相対色相角、またはさらには２５０〜３００（たとえば、２５０〜２９０）の相対色相角を持つ色相を提供する場合の、染料または誘発されると染料を形成し得るロイコ着色剤を指す。
【００２５】
ここで使用される場合、「セルロース系基材」は、重量で少なくとも過半数のセルロースを含む任意の基材を含むように意図されている。セルロースは、木材、綿、リネン、ジュートおよびヘンプにおいて見出すことができる。セルロース系基材は、粉末、繊維、パルプ、ならびに粉末、繊維およびパルプから形成された物品の形態であってもよい。セルロース系繊維は、限定されないが、綿、レーヨン（再生セルロース）、アセテート（セルロースアセテート）、トリアセテート（セルローストリアセテート）、およびそれらの混合物を含む。セルロース系繊維から形成された物品は、テキスタイル物品、たとえば織物を含む。パルプから形成された物品は、紙を含む。
【００２６】
ここで使用される場合、冠詞、たとえば「ａ」および「ａｎ」は、請求項において使用される場合、特許請求されているまたは記述されているものの１つ以上を意味すると理解される。
【００２７】
ここで使用される場合、用語「を含む（include/s）」および「を含む（including）」は、非限定的であることを意味する。
【００２８】
ここで使用される場合、用語「固体」は、顆粒、粉末、バーおよび錠剤製品形態を含む。
【００２９】
ここで使用される場合、用語「流体」は、液体、ゲル、ペーストおよびガス製品形態を含む。
【００３０】
本出願の試験方法の項において開示されている試験方法は、出願人らの発明のパラメーターのそれぞれの値を決定するために使用されるべきである。
【００３１】
別段の注記がない限り、すべての成分または組成物レベルは、その成分または組成物の活性部を参照しており、そのような成分または組成物の市販の供給源において存在し得る、不純物、たとえば残留溶媒または副産物を除外する。
【００３２】
すべてのパーセンテージおよび比は、別段の指示がない限り、重量で算出される。すべてのパーセンテージおよび比は、別段の指示がない限り、全組成に基づいて算出される。
【００３３】
ここで使用される場合、用語「求核試薬」は、少なくとも１つの求核性部分を含む有機化合物を指す。
【００３４】
ここで使用される場合、用語「求核性部分」は、電子対を提供して新たな共有結合を形成する、有機化合物の一部である。好ましい求核性部分は、共鳴構造が描かれ得る有機化合物の、電子対を、下記の原子：炭素、窒素、酸素または硫黄のうちの１つ上に置く部分である。好ましい求核性部分は、第一級アミン、第二級アミン、第三級アミン、ヒドロキシ基、スルフヒドリル基、エノラートおよびエネアミンを含むがこれらに限定されない。
【００３５】
ここで使用される場合、用語「求電子試薬」は、少なくとも１つの求電子性部分を含む有機化合物を指す。
【００３６】
ここで使用される場合、用語「求電子性部分」は、電子対を受け入れて新たな共有結合を形成する、有機化合物の一部である。
【００３７】
ここで使用される場合、用語「ロイコポリマー」は、少なくとも１つのロイコ部分を含むオリゴマー性またはポリマー性化合物を指す。
【００３８】
ここで使用される場合、用語「反応性ロイコ化合物」は、ロイコ部分と共有結合している少なくとも１つの反応性部分を含む化合物を指す。少なくとも１つのロイコ部分および少なくとも１つの求電子性基を含む化合物は、「反応性ロイコ化合物」の同等の記述であり、ここで交換可能に使用される。
【００３９】
一側面において、２００〜１，０００ｎｍ（より好ましくは４００〜７５０ｎｍ）の範囲内の波長における最大吸光度での前記第２の着色状態のモル吸光係数は、第２の着色状態の最大吸光度の波長における前記第１の色状態の、好ましくは少なくとも５倍、より好ましくは１０倍、さらに一層好ましくは２５倍、最も好ましくは少なくとも５０倍の、モル吸光係数である。好ましくは、２００〜１，０００ｎｍ（より好ましくは４００〜７５０ｎｍ）の範囲内の波長における最大吸光度での前記第２の着色状態のモル吸光係数は、対応する波長範囲内の前記第１の色状態の、少なくとも５倍、好ましくは１０倍、さらに一層好ましくは２５倍、最も好ましくは少なくとも５０倍の、最大モル吸光係数である。当業者は、これらの比がはるかに高くてもよいことに気付くであろう。たとえば、第１の色状態は、４００〜７５０ｎｍの範囲内の波長で、わずか１０Ｍ−１ｃｍ−１の最大モル吸光係数を有していてもよく、第２の着色状態は、４００〜７５０ｎｍの範囲内の波長で、８０，０００Ｍ−１ｃｍ−１以上もの最大モル吸光係数を有していてもよく、この場合には、吸光係数の比は、８，０００：１以上となるであろう。
【００４０】
一側面において、４００〜７５０ｎｍの範囲内の波長における前記第１の色状態の最大モル吸光係数は、１０００Ｍ−１ｃｍ−１未満であり、４００〜７５０ｎｍの範囲内の波長における前記第２の着色状態の最大モル吸光係数は、５，０００Ｍ−１ｃｍ−１超、好ましくは１０，０００、２５，０００、５０，０００またはさらには１００，０００Ｍ−１ｃｍ−１超である。当業者は、１つを超えるロイコ部分を含むポリマーが、第１の色状態において有意に高い最大モル吸光係数を有していてもよい（たとえば、ロイコ部分の多様性の相加効果または第２の着色状態に変換された１つ以上のロイコ部分の存在により）ことを認識し、理解するであろう。１つを超えるロイコ部分が分子に結合している場合、前記第２の色状態の最大モル吸光係数は、ｎ超×□であってもよく、ここで、ｎは、分子上に存在するロイコ部分プラス酸化ロイコ部分の数であり、□は、５，０００Ｍ−１ｃｍ−１、好ましくは１０，０００、２５，０００、５０，０００またはさらには１００，０００Ｍ−１ｃｍ−１超から選択される。故に、２つのロイコ部分を有する分子については、前記第２の色状態の最大モル吸光係数は、１０，０００Ｍ−１ｃｍ−１超、好ましくは２０，０００、５０，０００、１００，０００またはさらには２００，０００Ｍ−１ｃｍ−１超であってもよい。ｎは、理論上はいかなる整数であってもよいが、当業者であれば、ｎが、典型的には、１〜１００、より好ましくは１〜５０、１〜２５、１〜１０またはさらには１〜５となることを理解する。
【００４１】
１つの好ましい態様において、ロイコ実体は、第２のより高度に着色した状態への変換時に、白色基材に、２１０〜３４５の相対色相角、またはさらには２４０〜３２０の相対色相角、またはさらには２５０〜３００（たとえば、２５０〜２９０）の相対色相角を持つ色を提供する。相対色相角は、当技術分野において公知の通りの任意の好適な方法によって決定することができる。しかしながら、好ましくは、いかなるロイコ実体もない綿と比べた、綿へのロイコ実体の堆積に関して、ここでさらに詳細に記述されている通りに決定されていてもよい。
【００４２】
本発明は、テキスタイル基材を白くする青色の色相を提供するための、洗濯ケア組成物、たとえば液体洗濯洗剤において使用するために有用となり得る、あるクラスのロイコ着色剤に関する。ロイコ着色剤は、本質的に無色またはごくわずかに着色されているが、活性化されると強い色を発色することができる化合物である。洗濯ケア組成物においてロイコ化合物を使用する１つの利点は、そのような化合物が、活性化されるまで無色であり、洗濯ケア組成物がそれ自体の色を示すことを可能にするということである。ロイコ着色剤は、一般に、洗濯ケア組成物の主な色を変えない。故に、そのような組成物の製造者は、組成物の最終的な明度に影響を及ぼす添加成分、たとえば青味剤に関する心配なしに、消費者に最も魅力的な色を調合することができる。
【００４３】
上述の通り、第１の態様において、本発明は、ポリエチレンイミンおよびポリエチレンイミンと共有結合している少なくとも１つのロイコ部分を含む、ロイコポリマーを提供する。
【００４４】
ロイコポリマーのポリエチレンイミンは、任意の好適なポリエチレンイミンであり得る。一側面において、ポリエチレンイミンは、３個以上のアミン窒素原子を含む。別の側面において、ポリエチレンイミンは、約６〜約１，０００，０００個のアミン窒素原子、約６〜５０，０００個のアミン窒素原子、または約１０〜２００個のアミン窒素原子を含む。さらに別の側面において、ポリエチレンイミンは、約１５〜約４５個のアミン窒素原子を含む。
【００４５】
一側面において、ロイコポリマーの作製に使用されるポリエチレンイミンは、第一級アミン基および／または第二級アミン基を含み、それらの両方は、少なくとも１個のアミン水素原子を含有する。ロイコポリマーにおいて、出発ポリエチレンイミン中に存在するアミン水素原子の一部は、他の基で置き代えられている。一側面において、ポリエチレンイミン中のアミン水素原子の一部は、２−ヒドロキシプロピル、１−ヒドロキシプロパン−２−イル、およびポリアルコキシ基からなる群から選択される部分で置き代えられている。一側面において、ポリアルコキシ基は、エトキシ基、プロポキシ基、およびそれらの混合物からなる群から選択されるアルコキシ基を含む。別の側面において、ポリアルコキシ基は、３個以上のアルコキシ基を含む。さらに別の側面において、ポリアルコキシ基は、３〜約５０個のアルコキシ基を含む。ポリアルコキシ基が染料ポリマー中に存在する場合、それぞれのポリアルコキシ基は、ヒドロキシル基およびアルキル基からなる群から選択される部分で独立して終端し得る。一側面において、ロイコポリマー中に存在する任意のポリアルコキシ基の少なくとも一部は、メチル基で終端する。
【００４６】
一側面において、ポリエチレンイミン中、約２０ｍｏｌ．％〜約９５ｍｏｌ．％のアミン水素原子は、２−ヒドロキシプロピル基で置き代えられている。別の側面において、ポリエチレンイミン中、約５７ｍｏｌ．％〜約８０ｍｏｌ．％のアミン水素原子は、２−ヒドロキシプロピル基で置き代えられている。さらに別の側面において、ポリエチレンイミン中、約３ｍｏｌ．％〜約１５ｍｏｌ．％のアミン水素原子は、ポリアルコキシ基で置き代えられている。より特定の側面において、ポリエチレンイミン中、約２０ｍｏｌ．％〜約９５ｍｏｌ．％のアミン水素原子は、２−ヒドロキシプロピル基で置き代えられ、ポリエチレンイミン中、約３ｍｏｌ．％〜約１５ｍｏｌ．％のアミン水素原子は、ポリアルコキシ基で置き代えられている。別のより特定の側面において、ポリエチレンイミン中、約５７ｍｏｌ．％〜約８０ｍｏｌ．％のアミン水素原子は、２−ヒドロキシプロピル基で置き代えられ、ポリエチレンイミン中、約３ｍｏｌ．％〜約１５ｍｏｌ．％のアミン水素原子は、ポリアルコキシ基で置き代えられている。
【００４７】
上述したロイコポリマーは、テキスタイル材料の処理において、たとえば家庭用洗濯プロセスにおいて使用するために好適であると考えられている。特に、ロイコポリマーは、ロイコポリマーの性質により、テキスタイル材料の繊維に堆積するであろうと考えられている。さらに、テキスタイル材料に堆積すると、ロイコポリマーは、ポリマー上のロイコ部分をその着色形態に変換する適切な化学的または物理的な誘因の適用を介して、着色ポリマーに変換され得る。たとえば、ロイコポリマーは、ロイコ部分から酸化着色剤への酸化時に、その着色形態に変換され得る。適正なロイコ部分を選択することにより、ロイコポリマーは、ロイコポリマーがその着色形態に変換されると、テキスタイル材料に所望の色相を付与するように設計され得る。たとえば、その着色形態への変換時に青色の色相を呈するロイコポリマーを使用して、時間の経過および／または洗濯の繰り返しにより通常出現するテキスタイル材料の黄ばみに対抗することができる。故に、他の態様において、本発明は、上述したロイコポリマーを含む洗濯ケア組成物、およびテキスタイル材料を処理するための家庭用方法（たとえば、洗濯用品または衣類を洗浄するための方法）を提供する。
【００４８】
好ましくは、ロイコポリマーは、布に、２１０〜３４５の相対色相角、またはさらには２４０〜３２０の相対色相角、またはさらには２５０〜３００（たとえば、２５０〜２９０）の相対色相角を持つ色相を与える。相対色相角は、当技術分野において公知の通りの任意の好適な方法によって決定することができる。しかしながら、好ましくは、いかなるロイコ実体もない綿と比べた、綿へのロイコ実体の堆積に関して、ここでさらに詳細に記述されている通りに決定されていてもよい。
【００４９】
ポリエチレンイミンと共有結合しているロイコ部分は、任意の好適なロイコ部分であることができる。好適なロイコ部分は、ジアリールメタンロイコ部分、トリアリールメタンロイコ部分、オキサジン部分、チアジン部分、ヒドロキノン部分およびアリールアミノフェノール部分を含むがこれらに限定されない。故に、一側面において、ロイコ部分は、ジアリールメタンロイコ部分、トリアリールメタンロイコ部分、オキサジン部分、チアジン部分、ヒドロキノン部分、アリールアミノフェノール部分、およびそれらの混合物からなる群から選択される。
【００５０】
ここで使用するための好適なジアリールメタンロイコ部分は、ここで記述されている通りの第２の着色状態を形成することができる一価または多価のジアリールメチレン部分を含むがこれらに限定されない。好適な例は、ミヒラーメタン、−ＯＨ基で置換されているジアリールメチレン（たとえば、ミヒラーヒドロール）ならびにそのエーテルおよびエステル、光開裂可能な基、たとえば−ＣＮ基で置換されているジアリールメチレン（ビス（パラ−Ｎ，Ｎ−ジメチル）フェニル）アセトニトリル）、ならびに同様のそのような部分から得られる部分を含むがこれらに限定されない。
【００５１】
より特定の側面において、ロイコ部分は、後述する式（Ｉ）、（ＩＩ）、（ＩＩＩ）、（ＩＶ）または（Ｖ）の構造：
【００５２】
【化１】
2019534358.tif 000002
【００５３】
［式中、式Ｉ〜Ｖ対その酸化形態の比は、少なくとも１：１９、１：９または１：３、好ましくは少なくとも１：１、より好ましくは少なくとも３：１、最も好ましくは少なくとも９：１またはさらには１９：１である］
からの１個以上の水素原子の除去によって得られる一価または多価の部分である。
【００５４】
式（Ｉ）の構造において、環Ａ、ＢおよびＣのそれぞれの上の個々のＲｏ、ＲｍおよびＲｐ基は、水素、重水素およびＲ５からなる群から独立して選択され；それぞれのＲ５は、ハロゲン、ニトロ、アルキル、置換アルキル、アリール、置換アリール、アルカリル、置換アルカリル、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−および−Ｐ（Ｏ）（Ｏ−）２からなる群から独立して選択され、ここで、添え字ｎは、０〜４、好ましくは０〜１の整数、最も好ましくは０であり；異なるＡ、ＢおよびＣ環上の２つのＲｏは、組み合わさって、５員以上の縮合環を形成していてもよく；縮合環が６員以上である場合、異なるＡ、ＢおよびＣ環上の２つのＲｏは、組み合わさって、１個以上のヘテロ原子を任意に含有していてもよい有機リンカーを形成していてもよく；一態様において、異なるＡ、ＢおよびＣ環上の２つのＲｏは、組み合わさって、−Ｏ−および−Ｓ−から選択されるヘテロ原子架橋を形成して、６員縮合環を作成し；同じ環上のＲｏおよびＲｍまたは同じ環上のＲｍおよびＲｐは、組み合わさって、縮合脂肪族環または縮合芳香族環を形成していてもよく、その何れかは、ヘテロ原子を含有していてもよく；３つの環Ａ、ＢまたはＣのうちの少なくとも１つ、好ましくは少なくとも２つ、より好ましくは少なくとも３つ、最も好ましくはＲｏおよびＲｍ基の４つすべては、水素であり、好ましくは、環Ａ、ＢおよびＣのうちの少なくとも２つ上の４つすべてのＲｏおよびＲｍ基は、水素であり；一部の態様において、環Ａ、ＢおよびＣ上のすべてのＲｏおよびＲｍ基は、水素であり；好ましくは、それぞれのＲｐは、水素、−ＯＲ１および−ＮＲ１Ｒ２から独立して選択され；Ｒｐの２つ以下、好ましくは１つ以下は、水素であり、好ましくは、いずれも水素でなく；より好ましくは少なくとも１つ、好ましくは２つ、最も好ましくは３つのＲｐはすべて、−ＮＲ１Ｒ２であり；一部の態様において、環Ａ、ＢおよびＣのうちの１つまたはさらには２つは、１つ以上の独立して選択されるＲ５基で任意に置換されていてもよい、Ｏ、ＳおよびＮから独立して選択される１または２個のヘテロ原子を含む独立して選択されるＣ３〜Ｃ９ヘテロアリール環で置き代えられていてもよく；Ｇは、水素、重水素、Ｃ１〜Ｃ１６アルコキシド、フェノキシド、ビスフェノキシド、ニトライト、ニトリル、アルキルアミン、イミダゾール、アリールアミン、ポリアルキレンオキシド、ハライド、アルキルスルフィド、アリールスルフィドまたはホスフィンオキシドからなる群から独立して選択され；一側面において、Ｇを表す分数［（重水素）／（重水素＋水素）］は、少なくとも０．２０、好ましくは少なくとも０．４０、さらに一層好ましくは少なくとも０．５０、最も好ましくは少なくとも０．６０またはさらには少なくとも０．８０であり；
同じヘテロ原子に結合しているＲ１、Ｒ２およびＲ３の任意の２つは、組み合わさって、−Ｏ−、−ＮＲ１５−および−Ｓ−からなる群から選択される１個以上の追加のヘテロ原子を任意に含んでいてもよい５員以上の環を形成することができる。
【００５５】
式（ＩＩ）〜（ＩＩＩ）の構造において、ｅおよびｆは、独立して、０〜４の整数であり；それぞれのＲ２０およびＲ２１は、ハロゲン、ニトロ基、アルキル基、置換アルキル基、−ＮＣ（Ｏ）ＯＲ１、−ＮＣ（Ｏ）ＳＲ１、−ＯＲ１および−ＮＲ１Ｒ２からなる群から独立して選択され；それぞれのＲ２５は、単糖部分、二糖部分、オリゴ糖部分および多糖部分、−Ｃ（Ｏ）Ｒ１、−Ｃ（Ｏ）ＯＲ１、−Ｃ（Ｏ）ＮＲ１Ｒ２からなる群から独立して選択され；それぞれのＲ２２およびＲ２３は、水素、アルキル基および置換アルキル基からなる群から独立して選択される。
【００５６】
式（ＩＶ）の構造において、Ｒ３０は、架橋アミン部分に対してオルトまたはパラに位置し、−ＯＲ３８および−ＮＲ３６Ｒ３７からなる群から選択され、それぞれのＲ３６およびＲ３７は、水素、アルキル基、置換アルキル基、アリール基、置換アリール基、アシル基、Ｒ４、−Ｃ（Ｏ）ＯＲ１、−Ｃ（Ｏ）Ｒ１および−Ｃ（Ｏ）ＮＲ１Ｒ２からなる群から独立して選択され；Ｒ３８は、水素、アシル基、−Ｃ（Ｏ）ＯＲ１、−Ｃ（Ｏ）Ｒ１および−Ｃ（Ｏ）ＮＲ１Ｒ２からなる群から選択され；ｇおよびｈは、独立して、０〜４の整数であり；それぞれのＲ３１およびＲ３２は、アルキル基、置換アルキル基、アリール基、置換アリール基、アルカリル、置換アルカリル、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−および−Ｐ（Ｏ）（Ｏ−）２からなる群から独立して選択され、ここで、添え字ｎは、０〜４、好ましくは０〜１の整数、最も好ましくは０であり；−ＮＲ３４Ｒ３５は、架橋アミン部分に対してオルトまたはパラに位置し、Ｒ３４およびＲ３５は、水素、アルキル、置換アルキル、アリール、置換アリール、アルカリル、置換アルカリルおよびＲ４からなる群から独立して選択され；Ｒ３３は、水素、−Ｓ（Ｏ）２Ｒ１、−Ｃ（Ｏ）Ｎ（Ｈ）Ｒ１、−Ｃ（Ｏ）ＯＲ１および−Ｃ（Ｏ）Ｒ１からなる群から独立して選択され；ｇが２〜４である場合、任意の２つの隣接するＲ３１基は、組み合わさって、５員以上の縮合環を形成していてもよく、ここで、縮合環中の原子の２個以下は、窒素原子であってもよい。
【００５７】
式（Ｖ）の構造において、Ｘ４０は、酸素原子、硫黄原子およびＮＲ４５からなる群から選択され；Ｒ４５は、水素、重水素、アルキル、置換アルキル、アリール、置換アリール、アルカリル、置換アルカリル、−Ｓ（Ｏ）２ＯＨ、−Ｓ（Ｏ）２Ｏ−、−Ｃ（Ｏ）ＯＲ１、−Ｃ（Ｏ）Ｒ１および−Ｃ（Ｏ）ＮＲ１Ｒ２からなる群から独立して選択され；Ｒ４０およびＲ４１は、−（ＣＨ２）ｎ−Ｏ−Ｒ１、−（ＣＨ２）ｎ−ＮＲ１Ｒ２からなる群から独立して選択され、ここで、添え字ｎは、０〜４、好ましくは０〜１の整数、最も好ましくは０であり；ｊおよびｋは、独立して、０〜３の整数であり；Ｒ４２およびＲ４３は、アルキル、置換アルキル、アリール、置換アリール、アルカリル、置換アルカリル、−Ｓ（Ｏ）２Ｒ１、−Ｃ（Ｏ）ＮＲ１Ｒ２、−ＮＣ（Ｏ）ＯＲ１、−ＮＣ（Ｏ）ＳＲ１、−Ｃ（Ｏ）ＯＲ１、−Ｃ（Ｏ）Ｒ１、−（ＣＨ２）ｎ−Ｏ−Ｒ１、−（ＣＨ２）ｎ−ＮＲ１Ｒ２からなる群から独立して選択され、ここで、添え字ｎは、０〜４、好ましくは０〜１の整数、最も好ましくは０であり；Ｒ４４は、−Ｃ（Ｏ）Ｒ１、−Ｃ（Ｏ）ＮＲ１Ｒ２および−Ｃ（Ｏ）ＯＲ１である。
【００５８】
式（Ｉ）〜（Ｖ）の構造において、先行する（preceeding）基の何れか中に存在する任意の電荷は、好適な独立して選択される内部または外部対イオンと均衡がとれている。好適な独立して選択される外部対イオンは、カチオン性であってもアニオン性であってもよい。好適なカチオンの例は、好ましくは第Ｉ族および第ＩＩ族から選択される１種以上の金属を含むがこれらに限定されず、これらのうち最も好ましいのは、Ｎａ、Ｋ、ＭｇおよびＣａ、または有機カチオン、たとえばイミニウム、アンモニウムおよびホスホニウムである。好適なアニオンの例は、フッ化物、塩化物、臭化物、ヨウ化物、ペルクロレート、硫酸水素、スルフェート、アミノスルフェート、ニトレート、リン酸二水素、リン酸水素、ホスフェート、ビカーボネート、カーボネート、メソスルフェート、エソスルフェート、シアネート、チオシアネート、テトラクロロジンケート、ボレート、テトラフルオロボレート、アセテート、クロロアセテート、シアノアセテート、ヒドロキシアセテート、アミノアセテート、メチルアミノアセテート、ジ−およびトリ−クロロアセテート、２−クロロ−プロピオネート、２−ヒドロキシプロピオネート、グリコレート、チオグリコレート、チオアセテート、フェノキシアセテート、トリメチルアセテート、バレレート、パルミテート、アクリレート、オキサレート、マロネート、クロトネート、スクシネート、シトレート、メチレン−ビス−チオグリコレート、エチレン−ビス−イミノアセテート、ニトリロトリアセテート、フマレート、マレエート、ベンゾエート、メチルベンゾエート、クロロベンゾエート、ジクロロベンゾエート、ヒドロキシベンゾエート、アミノベンゾエート、フタレート、テレフタレート、インドリルアセテート、クロロベンゼンスルホネート、ベンゼンスルホネート、トルエンスルホネート、ビフェニル−スルホネートおよびクロロトルエンスルホネートを含むがこれらに限定されない。当業者は、上記に記載したものの代わりに使用することができる異なる対イオンを熟知している。
【００５９】
式（Ｉ）〜（Ｖ）の構造において、Ｒ１、Ｒ２、Ｒ３およびＲ１５は、水素、アルキル、置換アルキル、アリール、置換アリール、アルカリル、置換アルカリルおよびＲ４からなる群から独立して選択され；ここで、Ｒ４は、２８〜５００、好ましくは４３〜３５０、さらに一層好ましくは４３〜２５０の範囲の前記モノマー分子量を持つ１種以上の有機モノマーで構成される有機基であり、ここで、有機基は、式Ｉ〜Ｖの構造に適合する１つ以上の追加のロイコ着色剤部分で置換されていてもよい。一側面において、Ｒ４は、アルキレンオキシ（ポリエーテル）、オキソアルキレンオキシ（ポリエステル）、オキソアルキレンアミン（ポリアミド）、エピクロロヒドリン、四級化エピクロロヒドリン、アルキレンアミン、ヒドロキシアルキレン、アシルオキシアルキレン、カルボキシアルキレン、カルボアルコキシアルキレンおよび糖からなる群から選択される。任意のロイコ着色剤が、３つ以上の連続モノマーを持つＲ４基を含む場合、そのロイコ着色剤は、ここで、「ポリマー性ロイコ着色剤」と定義される。当業者ならば、若干数の特徴的な属性の何れかに関する化合物の特性、たとえば溶解度、分配、堆積、除去、染色などは、その中に組み込まれているそのような連続モノマーの、位置付け、同一性および数に関係していることを知っている。したがって、当業者は、そのような連続モノマーの、位置付け、同一性および数を調整して、任意の特定の属性を多かれ少なかれ予測可能な方式で改変することができる。
【００６０】
ロイコ部分は、任意の好適な共有結合を介してポリエチレンイミンと共有結合することができる。一側面において、ロイコ部分は、ポリエチレンイミン中のアミン窒素に共有結合している。換言すると、ロイコ部分は、ポリエチレンイミン上のアミン水素を置き代えることによって、ポリエチレンイミンと共有結合することができる。
【００６１】
ロイコポリマーは、任意の好適な数のロイコ部分を含むことができる。上で述べられている通り、ロイコポリマーは、少なくとも１つのロイコ部分を含む。一側面において、ロイコポリマーは、複数のロイコ部分を含み、そのそれぞれは、上で記述されている基から独立して選択される。一側面において、ロイコポリマーは、１〜約５つのロイコ部分を含む。別の側面において、ロイコポリマーは、１〜約２つのロイコ部分を含む。一側面において、ロイコ部分は、２つ以上のポリエチレンイミンに結合していてよい。好ましくは、ロイコ部分は、１つのポリエチレンイミンのみに結合している。別の側面において、ロイコ部分は、約１重量％〜約４５重量％のロイコポリマーを含む。（この重量百分率は、ロイコ部分の式量をロイコポリマーのモル質量で割ることによって算出できる。）
ロイコポリマーはまた、ポリエチレンイミンに共有結合している発色団部分を含むことができる。一側面において、そのような発色団部分は、ポリエチレンイミンにやはり結合しているロイコ部分に対応する着色部分であり得る。たとえば、染料ポリマーは、最初に、ポリエチレンイミンに結合している２つのロイコ部分を有することができ、それらのロイコ部分の１つは、対応する着色発色団部分に変換され得る。別の側面において、そのような発色団部分は、ポリエチレンイミンに結合しているロイコ部分とは異なっていてよい（すなわち、発色団部分は、ポリエチレンイミンに結合しているロイコ部分に対応する着色部分ではない）。
【００６２】
一側面において、ロイコポリマーは、ポリエチレンイミンに共有結合している赤色染料部分をさらに含むことができる。存在する場合、そのような赤色染料部分は、任意の好適な量で存在することができる。一側面において、ロイコポリマー中に存在する赤色染料部分とロイコ部分の比は、１：１００〜１：４である。赤色染料部分を含むことによって、ロイコポリマーに赤色の色調が提供される。一側面において、赤色染料部分は、好ましくは、モノ−アゾ染料部分である。
【００６３】
別の側面において、ロイコポリマーは、ロイコポリマー組成物中に存在することができる。ロイコポリマー組成物は、上述の通り少なくとも１つのロイコポリマーを含む。一側面において、ロイコポリマー組成物はまた、別のポリエチレンイミンポリマーを含むことができる。たとえば、ロイコポリマー組成物は、上述の通りロイコポリマーを生成するために使用される未使用の（virgin）ポリエチレンイミンポリマーを含むことができる。別の側面において、ロイコポリマー組成物は、上述したロイコポリマーの構造に類似しているが、ロイコ部分を欠いているポリエチレンイミンポリマーを含むことができる。さらに別の側面において、ロイコポリマー組成物は、ロイコポリマーの分子上のロイコ部分から、その対応する着色発色団部分への変換によって生成される着色ポリマーを含むことができる。
【００６４】
上述したロイコポリマーは、任意の好適なプロセスによって作製することができる。一側面において、ロイコポリマーは、（ａ）ポリエチレンイミンを反応性ロイコ化合物と反応させて、ポリエチレンイミン−ロイコ中間体を生成し、（ｂ）ポリエチレンイミン−ロイコ中間体をプロピレンオキシドと反応させて、プロポキシル化ポリエチレンイミン−ロイコ中間体を生成し、（ｃ）プロポキシル化ポリエチレンイミン−ロイコ中間体をアルキレンオキシドと反応させて、ロイコポリマーを生成することによって作製することができる。別の側面において、ロイコポリマーは、（ａ）ポリエチレンイミンをプロピレンオキシドと反応させて、プロポキシル化ポリエチレンイミン中間体を生成し、（ｂ）プロポキシル化ポリエチレンイミン中間体をポリアルコキシ化合物と反応させて、アルコキシル化ポリエチレンイミン中間体を生成し、（ｃ）アルコキシル化ポリエチレンイミン中間体を反応性ロイコ化合物と反応させて、ロイコポリマーを生成することによって作製することができる。
【００６５】
上述したプロセスにおいて使用されるポリエチレンイミンは、任意の好適なポリエチレンイミンポリマーであってよい。好適なポリエチレンイミンは、４３．０７の分子量の実験式（Ｃ２Ｈ５Ｎ）ｎを有する繰り返し単位を特徴とする、高度に分枝したポリアミンを含むが、これに限定されない。ポリエチレンイミンは、典型的に、アジリジンとしても公知のエチレンイミンの酸触媒型開環によって商業的に調製される。エチレンイミン出発材料は、典型的に、エタノールアミンの硫酸エステル化を介して調製される。
【００６６】
一側面において、ポリエチレンイミンは、３個以上のアミン窒素原子を含む。別の側面において、ポリエチレンイミンは、約６〜約１，０００，０００個のアミン窒素原子、約６〜５０，０００個のアミン窒素原子、または約１０〜２００個のアミン窒素原子を含む。さらに別の側面において、ポリエチレンイミンは、約１５〜約４５個のアミン窒素原子を含む。
【００６７】
ロイコポリマーの作製に使用されるポリエチレンイミンは、第一級アミン基および／または第二級アミン基を含み、それらの両方は、少なくとも１個のアミン水素原子を含有する。一側面において、ポリエチレンイミンは、好ましくは第三級アミン基も含有する。ポリエチレンイミン中のアミン基の部分は、アルキル基、アルキルスルフェート基、アルキルアリール基、またはアルキルアリールスルフェート基などの他の基で置換され得る。
【００６８】
上述したプロセスのプロポキシル化工程において、ポリエチレンイミンまたは中間体は、プロピレンオキシドと反応して、アミン水素原子の少なくとも一部を、２−ヒドロキシプロピル、１−ヒドロキシプロパン−２−イル、およびそれらの混合物から選択される基で置き代える。ポリエチレンイミンまたは中間体は、任意の好適な量のプロピレンオキシドと反応することができる。一側面において、使用されるプロピレンオキシドの量は、ポリエチレンイミンまたは中間体中、１ｍｏｌ．％以上のアミン水素原子と反応し、置き代えるのに十分である。別の側面において、使用されるプロピレンオキシドの量は、ポリエチレンイミンまたは中間体中、約２０ｍｏｌ．％〜約９５ｍｏｌ．％のアミン水素原子と反応し、置き代えるのに十分である。さらに別の側面において、使用されるプロピレンオキシドの量は、ポリエチレンイミンまたは中間体中、約５７ｍｏｌ．％〜約８０ｍｏｌ．％のアミン水素原子と反応し、置き代えるのに十分である。
【００６９】
ロイコポリマーの作製に使用されるポリアルコキシ化合物は、任意の好適なポリアルコキシ化合物であってよい。一側面において、ポリアルコキシ化合物は、エトキシ基（−ＯＣＨ２ＣＨ２−）、プロポキシ基（−ＯＣＨ２ＣＨ２ＣＨ２−）、およびそれらの混合物からなる群から選択されるアルコキシ繰り返し基を含む。一側面において、ポリアルコキシ化合物は、３個以上のアルコキシ繰り返し基を含む。さらに別の側面において、ポリアルコキシ化合物は、３〜約５０個のアルコキシ繰り返し基を含む。ポリアルコキシ化合物とポリエチレンイミンまたは中間体との反応を容易にするために、ポリアルコキシ化合物は、典型的に、反応基（すなわち、アミン水素に対して反応性の基）を含む。ポリアルコキシ化合物に好適な反応基は、エポキシド、アルケン、スルホオキシエチルスルホニル基（たとえば、−ＳＯ２ＣＨ２ＣＨ２ＯＳＯ３Ｎａ）、ヘテロ環式反応基、および脱離基（たとえば、トシレート）を含むが、これらに限定されない。一側面において、ポリアルコキシ化合物は、好ましくは、エトキシ基を含む。より特定の側面において、ポリアルコキシ化合物は、以下の構造（ＰＡ１）の化合物である。
【００７０】
【化２】
2019534358.tif 000003
【００７１】
構造（ＰＡ１）の化合物は、１３個のエトキシ基と共に示されているが、それよりも少ないまたは多いエトキシ基を含有する化合物も、ロイコポリマーの作製において使用するために好適である。
【００７２】
ポリアルコキシ化合物との反応において、ポリエチレンイミンまたは中間体は、ポリアルコキシ化合物と反応して、ポリエチレンイミンまたは中間体上に存在するアミン水素原子の１つまたは複数を、ポリアルコキシ化合物から誘導されたポリアルコキシ基で置き代える。任意の好適な量のポリアルコキシ化合物が、ポリエチレンイミンまたは中間体と反応することができる。一側面において、利用されるポリアルコキシ化合物の量は、ポリエチレンイミンまたは中間体上のアミン水素原子の１つと反応し、置き代えるのに十分である。
【００７３】
反応性ロイコ化合物は、上記で定義した通りの任意の好適なロイコ部分を含むことができる。一側面において、ロイコ部分は、上述した通りの式（Ｉ）、（ＩＩ）、（ＩＩＩ）、（ＩＶ）または（Ｖ）の構造からの１個以上の水素原子の除去によって誘導された一価または多価の部分である。
【００７４】
上述の通り、ロイコ組成物中に存在する反応性ロイコ化合物は、ロイコ部分と共有結合している少なくとも１つの反応性部分を含む。反応性部分は、任意の好適な求電子性部分であってよい。好適な求電子性部分は、孤立電子対または負電荷が部分内の炭素、窒素、酸素、硫黄またはリン原子上に留まる共鳴構造（寄与構造）を有する、有機求核性部分と反応するために十分求電子性なものである。反応すると、反応性部分は、ロイコ部分と有機求核性部分を含有する化合物との間に共有結合を作成する。好ましくは、反応性部分は、ヒドロキシ基、スルフヒドリル基、シアノ基、アルコキシ基、アミン基（第一級、第二級または第三級アミン）、カルバニオン、カルボキシル基、チオカルボキシレート基、チオレート基およびチオシアネート基からなる群から選択される求核性部分と反応するために十分求電子性である。別の好ましい態様において、反応性部分は、ヒドロキシ基、スルフヒドリル基およびアミン基からなる群から選択される求核性部分と反応するために十分求電子性である。好適な反応性部分は、アミンと反応して、カルバメート、尿素、アミド、スルホンアミドまたはより高次のアミンを形成する部分（たとえば、アルキル化を介して、第一級アミンから第二級アミン、第二級アミンから第三級アミン、および第一級、第二級または第三級アミンから第四級アミン）を含むがこれらに限定されない。好適な反応性部分は、アルコールと反応して、カーボネート、カルバメート、カルボン酸エステル、スルホン酸エステルまたはエーテルを形成する部分も含むがこれらに限定されない。好適な反応性部分は、スルフヒドリル（チオール）と反応して、チオカーボネート、チオカルバメートなどを形成する部分も含むがこれらに限定されない。好適な反応性部分は、以下に例証するもの：
【００７５】
【化３】
2019534358.tif 000004
【００７６】
を含むがこれらに限定されない。
【００７７】
上記の構造において、添え字ｎは、０または１である。ｎが１である場合、上記の基のアミンとの反応は、カルバメートを形成し、アルコールとの反応は、カーボネートを形成する。ｎが０である場合、アミンとの反応の生成物は、カルボン酸アミドであり、アルコールとの反応の生成物は、カルボン酸エステルである。スルホン酸エステルおよびアミドの形成に好適な同様の基は、当業者に周知である。同様に、ハロゲン化アルキルおよびアルキルトシレートは、アミンと反応してより高次のアミンを形成するまたはアルコールと反応してエーテルを形成することができる、反応性基の代表である。
【００７８】
反応性部分として使用されていてもよい、より伝統的な基に加えて、反応性染料のための固定基として使用されてきた多くの特殊な求電子性部分は何れも、有益に使用され得る。反応性染料は、反応性部分と共有結合している染料発色団からなる。これらの反応性部分は、求核性部分（たとえば、第一級および第二級アミン）と反応して、好ましくは置換または付加反応により、共有結合を形成する。
【００７９】
この種の反応性部分は、好ましくは、ヘテロ環式反応性部分およびスルホオキシエチルスルホニル反応性基（−ＳＯ２ＣＨ２ＣＨ２ＯＳＯ３Ｎａ）から選択される。ヘテロ環式反応性部分は、好ましくは、ハロゲンまたはアンモニウムと結合している窒素含有芳香族環であり、これは、別の化合物の求核性部分（たとえば、第一級アミンおよび第二級アミン）と反応して、共有結合を形成する。これらのヘテロ環式反応性部分は、好ましくは、ハロゲン、たとえば塩素またはフッ素を含有する。好ましい態様において、反応性部分は、好ましくは、スルホオキシエチルスルホニル部分、ビニルスルホニル部分、ハロトリアジニル部分、第四級アンモニウムトリアジニル部分、ハロピリミジニル部分、ハロピリダジニル部分、ハロキノキサリニル部分、ハロフタラジニル部分、ブロモアクリルアミジル部分およびベンゾチアゾリル部分からなる群から選択される。より好ましいヘテロ環式反応性部分は、ジクロロトリアジニル、ジフルオロクロロピリミ−ジン、モノフルオロトラジニル（monofluorotrazinyl）、モノフルオロクロロトラジニル（monofluorochlorotrazinyl）、ジクロロキノキサリン、ジフルオロトリアジン、モノクロロトリアジニルおよびトリクロロピリミジンである。
【００８０】
とりわけ好ましいヘテロ環式反応性部分は、
【００８１】
【化４】
2019534358.tif 000005
【００８２】
である［式中、Ｒ１は、Ｈまたはアルキルから選択され、好ましくはＨであり；Ｘは、ＦまたはＣｌから選択され；Ｘ＝Ｃｌである場合、Ｚ１は、−Ｃｌ、−ＮＲ２Ｒ３、−ＯＲ２、−ＳＯ３Ｎａから選択され；Ｘ＝Ｆである場合、Ｚ１は、−ＮＲ２Ｒ３から選択され、ここで、Ｒ２およびＲ３は、Ｈ、アルキルおよびアリール基から独立して選択される］。アリール基は、好ましくは、フェニルであり、好ましくは、−ＳＯ３Ｎａまたは−ＳＯ２ＣＨ２ＣＨ２ＯＳＯ３Ｎａによって置換されている。アルキル基は、好ましくは、メチルまたはエチルである。フェニル基は、好ましくは２００未満の分子量を持つ好適な非荷電有機基で、さらに置換されていてもよい。好ましい基は、−ＣＨ３、−Ｃ２Ｈ５および−ＯＣＨ３を含む。アルキル基は、好ましくは２００未満の分子量を持つ好適な非荷電有機基で、さらに置換されていてもよい。好ましい基は、−ＣＨ３、−Ｃ２Ｈ５、−ＯＨ、−ＯＣＨ３、−ＯＣ２Ｈ４ＯＨを含む。最も好ましいヘテロ環式反応性部分は、
【００８３】
【化５】
2019534358.tif 000006
【００８４】
［式中、ｍ＝１または２、好ましくは１である］
から選択される。
【００８５】
別の側面において、反応性部分は、
【００８６】
【化６】
2019534358.tif 000007
【００８７】
からなる群から選択され、式中、Ｒ３は、−ＯＳＯ３Ｘ、−ＯＳＯ３−または−Ｃｌである。Ｒ４およびＲ５は、−Ｃｌおよび−Ｂｒから独立して選択され；Ｒ１およびＲ２は、−Ｃｌ、−Ｆ、および
【００８８】
【化７】
2019534358.tif 000008
【００８９】
から選択されるラジカルから独立して選択される［式中、Ｒ１０は、Ｈ、−ＣＯ２Ｘ（ここで、Ｘは、水素である）、または、アルカリもしくはアルカリ土類金属またはアンモニウムのカチオンから選択される］。
【００９０】
一側面において、反応性ロイコ化合物は、１つを超える、好ましくは２つまたは３つの反応性部分を含む。そのような態様において、反応性部分は、同じであっても異なっていてもよい。
【００９１】
ポリエチレンイミンまたは中間体と反応性ロイコ化合物との反応を伴う反応工程において、反応性ロイコ化合物は、ポリエチレンイミンまたは中間体上のアミン水素原子と反応し、置き代える。この反応において、任意の好適な量のロイコ化合物を使用することができる。一側面において、反応性ロイコ化合物とポリエチレンイミンまたは中間体のモル比は、約０．２：１〜約１：１である。
【００９２】
ロイコポリマーを作製するプロセスの例示的な態様において、２９個の窒素原子（そのうち９個は第一級であり（すなわち、ＮＨ２）、１３個は第二級であり（すなわち、ＮＨ）、７個は第三級である）を含有するポリエチレンイミン（ＰＥＩ１）を、２６モル当量のプロピレンオキシドと反応させて、以下の構造（ＰＥＩ２）を得る。
【００９３】
【化８】
2019534358.tif 000009
【００９４】
無置換の初期ポリエチレンイミン（ＰＥＩ１）は、第一級および第二級窒素原子上に（２×９）＋（１×１３）＝３１個のアミン水素を含有していた。２６モル当量のプロピレンオキシドと反応する場合、第一級および第二級窒素原子の２６／３１×１００＝８３．９ｍｏｌ．％のアミン水素が、２−ヒドロキシプロピル基または１−ヒドロキシプロパン−２−イル基によって置き代えられている。簡潔にするために、（ＰＥＩ２）の構造において、２−ヒドロキシプロピル基のみが示されている。
【００９５】
【化９】
2019534358.tif 000010
【００９６】
次に、この例示的な態様において、プロポキシル化ポリエチレンイミン（ＰＥＩ２）が、１モル当量のポリアルコキシ化合物（ＰＡ１）と反応して、アルコキシル化プロポキシル化中間体（ＰＥＩ３）を生成する。
【００９７】
【化１０】
2019534358.tif 000011
【００９８】
次に、アルコキシル化プロポキシル化中間体（ＰＥＩ３）が、１モル当量の反応性ロイコ化合物、たとえば構造（ＲＬＣ１）の反応性ロイコ化合物と反応する。
【００９９】
【化１１】
2019534358.tif 000012
【０１００】
この反応の結果は、（ＬＰ１）の構造を有する、上述の通りのロイコポリマーである。
【０１０１】
【化１２】
2019534358.tif 000013
【０１０２】
上述したロイコポリマーは、テキスタイル材料の処理において、たとえば家庭用洗濯プロセスにおいて使用するために好適であると考えられている。特に、ロイコポリマーは、ポリエチレンイミンポリマーのアルコキシル化性質により、テキスタイル材料の繊維に堆積するであろうと考えられている。さらに、テキスタイル材料に堆積すると、ロイコポリマーは、ポリマー上のロイコ部分をその着色形態に変換する適切な化学的または物理的な誘因の適用を介して、着色ポリマーに変換され得る。たとえば、ロイコポリマー（ＬＰ１）は、ロイコ部分からアントラキノン部分への酸化時に、その着色形態に変換され得る。適正なロイコ部分を選択することにより、ロイコポリマーは、ロイコポリマーがその着色形態に変換されると、テキスタイル材料に所望の色相を付与するように設計され得る。たとえば、その着色形態への変換時に青色の色相を呈するロイコポリマーを使用して、時間の経過および／または洗濯の繰り返しにより通常出現するテキスタイル材料の黄ばみに対抗することができる。故に、他の態様において、本発明は、上述したロイコポリマーを含む洗濯ケア組成物、およびテキスタイル材料を処理するための家庭用方法（たとえば、洗濯用品または衣類を洗浄するための方法）を提供する。
【０１０３】
第４の態様において、本発明は、上述の通り、（ａ）洗濯ケア活性物質、および（ｂ）ロイコポリマーを含む洗濯ケア組成物を提供する。一側面において、ロイコポリマーは、ポリエチレンイミン、およびポリエチレンイミンに共有結合している少なくとも１つのロイコ部分を含み、ポリエチレンイミンは、３個以上のアミン窒素原子を含み、ポリエチレンイミン中、１ｍｏｌ．％以上のアミン水素原子は、２−ヒドロキシプロピル、１−ヒドロキシプロパン−２−イル、およびポリアルコキシ基からなる群から選択される部分で置き代えられている。
【０１０４】
洗濯ケア組成物中に存在するロイコポリマーは、本発明の先の態様に関連して上述したロイコポリマーの何れかであることができる。ロイコポリマーは、洗濯ケア組成物中に、任意の好適な量で存在し得る。一側面において、洗濯ケア組成物は、約０．００１重量％〜約２．０重量％、好ましくは約０．０５重量％〜約０．２重量％のロイコポリマーを含む。そのような態様において、洗濯ケア組成物は、約２重量％〜約７０重量％の界面活性剤（単一の界面活性剤、または、より好ましくは、以下で論じるものから選択される界面活性剤の組合せの何れか）を含むことができる。
洗濯ケア原料
界面活性剤系
本発明の製品は、約０．００重量％〜、より典型的には約０．１０〜８０重量％の界面活性剤を含んでいてもよい。一側面において、そのような組成物は、約５〜５０重量％の界面活性剤を含んでいてもよい。利用される界面活性剤は、アニオン性、非イオン性、両性、両性電解質性、両性イオン性もしくはカチオン性タイプのものであることができ、またはこれらのタイプの相溶性混合物を含むことができる。アニオン性および非イオン性界面活性剤は、典型的には、織物ケア製品が洗濯洗剤である場合に使用される。他方で、カチオン性界面活性剤は、典型的には、織物ケア製品が織物柔軟剤である場合に使用される。
アニオン性界面活性剤
有用なアニオン性界面活性剤は、それら自体がいくつかの異なるタイプのものであることができる。たとえば、高級脂肪酸の水溶性塩、すなわち「石鹸」は、ここでの組成物において有用なアニオン性界面活性剤である。これは、アルカリ金属石鹸、たとえば、約８〜約２４個の炭素原子またはさらには約１２〜約１８個の炭素原子を含有する高級脂肪酸の、ナトリウム、カリウム、アンモニウムおよびアルキロールアンモニウム塩を含む。石鹸は、脂肪および油の直接鹸化によってまたは遊離脂肪酸の中和によって作製することができる。特に有用なのは、ココナツ油および獣脂に由来する脂肪酸の混合物のナトリウムおよびカリウム塩、すなわち、ナトリウムまたはカリウム獣脂およびココナツ石鹸である。
【０１０５】
好ましいアルキル硫酸塩は、Ｃ８〜１８アルキルアルコキシル化硫酸塩、好ましくはＣ１２〜１５アルキルまたはヒドロキシアルキルアルコキシル化硫酸塩である。好ましくは、アルコキシル化基は、エトキシル化基である。典型的には、アルキルアルコキシル化硫酸塩は、０．５〜３０もしくは２０、または０．５〜１０の平均アルコキシル化度を有する。アルキル基は、分枝であっても直鎖状であってもよい。アルコキシル化アルキル硫酸塩界面活性剤は、アルコキシル化アルキル硫酸塩の混合物であってもよく、該混合物は、約１２〜約３０個の炭素原子の範囲内の平均（算術平均）炭素鎖長、または約１２〜約１５個の炭素原子の平均炭素鎖長、およびエチレンオキシド、プロピレンオキシドもしくはそれらの混合物の、約１モル〜約４モルの平均（算術平均）アルコキシル化度、またはエチレンオキシド、プロピレンオキシドもしくはそれらの混合物の、約１．８モルの平均（算術平均）アルコキシル化度を有する。アルコキシル化アルキル硫酸塩界面活性剤は、約１０個の炭素原子〜約１８個の炭素原子の炭素鎖長、およびエチレンオキシド、プロピレンオキシドまたはそれらの混合物の、約０．１〜約６モルのアルコキシル化度を有していてもよい。アルコキシル化アルキル硫酸塩は、エチレンオキシド、プロピレンオキシドまたはそれらの混合物でアルコキシル化されていてもよい。アルキルエーテル硫酸塩界面活性剤は、ピークに達したエトキシレート分布を含有していてもよい。具体例は、Ｓｈｅｌｌ製のＮＥＯＤＯＬ（登録商標）アルコールに由来する、Ｃ１２〜Ｃ１５  ＥＯ  ２．５スルフェート、Ｃ１４〜Ｃ１５  ＥＯ  ２．５スルフェートおよびＣ１２〜Ｃ１５  ＥＯ  １．５スルフェート、ならびにＨｕｎｔｓｍａｎ製の天然アルコールに由来する、Ｃ１２〜Ｃ１４  ＥＯ３スルフェート、Ｃ１２〜Ｃ１６  ＥＯ３スルフェート、Ｃ１２〜Ｃ１４  ＥＯ２スルフェートおよびＣ１２〜Ｃ１４  ＥＯ１スルフェートを含む。ＡＥＳは、直鎖状、分枝、またはそれらの組合せであってもよい。アルキル基は、合成もしくは天然アルコール、たとえばＳｈｅｌｌ製の商標名Ｎｅｏｄｏｌ（登録商標）、Ｓａｓｏｌ製のＳａｆｏｌ（登録商標）、Ｌｉａｌ（登録商標）およびＩｓａｌｃｈｅｍ（登録商標）によって供給されるもの、または植物油、たとえばココナツおよびパーム核に由来するミッドカットアルコールに由来していてもよい。別の好適なアニオン性洗浄性界面活性剤は、Ｃ１０〜Ｃ２６直鎖状または分枝、好ましくはＣ１０〜Ｃ２０直鎖状、最も好ましくはＣ１６〜Ｃ１８直鎖状アルキルアルコールおよび２〜２０、好ましくは７〜１３、より好ましくは８〜１２、最も好ましくは９．５〜１０．５のエトキシレートを含む、アルキルエーテルカルボキシレートである。酸形態または塩形態、たとえばナトリウムもしくはアンモニウム塩が使用されていてもよく、アルキル鎖は、１つのシスまたはトランス二重結合を含有していてもよい。アルキルエーテルカルボン酸は、花王株式会社（Ａｋｙｐｏ（登録商標））、Ｈｕｎｔｓｍａｎ（Ｅｍｐｉｃｏｌ（登録商標））およびＣｌａｒｉａｎｔ（Ｅｍｕｌｓｏｇｅｎ（登録商標））から入手可能である。
【０１０６】
他の有用なアニオン性界面活性剤は、アルキルベンゼンスルホネートのアルカリ金属塩を含むことができ、ここで、アルキル基は、直鎖（直鎖状）または分枝鎖立体配置中に、約９〜約１５個の炭素原子を含有する。一部の例において、アルキル基は、直鎖状である。そのような直鎖状アルキルベンゼンスルホネートは、「ＬＡＳ」として公知である。他の例において、直鎖状アルキルベンゼンスルホネートは、アルキル基中、約１１〜１４の平均炭素原子数を有していてもよい。具体例において、直鎖状直鎖アルキルベンゼンスルホネートは、アルキル基中、約１１．８個の炭素原子の平均炭素原子数を有していてもよく、これは、Ｃ１１．８ＬＡＳと略記されていてもよい。好ましいスルホネートは、Ｃ１０〜１３アルキルベンゼンスルホネートである。好適なアルキルベンゼンスルホネート（ＬＡＳ）は、市販の直鎖状アルキルベンゼン（ＬＡＢ）をスルホン化することによって取得されていてもよく、好適なＬＡＢは、低２−フェニルＬＡＢ、たとえば商標名Ｉｓｏｃｈｅｍ（登録商標）でＳａｓｏｌによって供給されるものまたは商標名Ｐｅｔｒｅｌａｂ（登録商標）でＰｅｔｒｅｓａによって供給されるものを含み、他の好適なＬＡＢは、高２−フェニルＬＡＢ、たとえば商標名Ｈｙｂｌｅｎｅ（登録商標）でＳａｓｏｌによって供給されるものを含む。好適なアニオン性洗浄性界面活性剤は、ＤＥＴＡＬ触媒プロセスによって取得されるアルキルベンゼンスルホネートであるが、他の合成ルート、たとえばＨＦも好適となり得る。一側面において、ＬＡＳのマグネシウム塩が使用される。ここで使用するための好適なアニオン性スルホネート界面活性剤は、Ｃ８〜Ｃ１８アルキルまたはヒドロキシアルキルスルホネート；ＷＯ９９／０５２４３、ＷＯ９９／０５２４２、ＷＯ９９／０５２４４、ＷＯ９９／０５０８２、ＷＯ９９／０５０８４、ＷＯ９９／０５２４１、ＷＯ９９／０７６５６、ＷＯ００／２３５４９およびＷＯ００／２３５４８において論じられている通りの、Ｃ１１〜Ｃ１８アルキルベンゼンスルホネート（ＬＡＳ）、修飾アルキルベンゼンスルホネート（ＭＬＡＳ）；メチルエステルスルホネート（ＭＥＳ）；ならびにアルファ−オレフィンスルホネート（ＡＯＳ）の、水溶性塩を含む。それらはまた、１０〜２０個の炭素原子のパラフィンをスルホン化することによって取得されるモノスルホネートおよび／またはジスルホネートであってもよいパラフィンスルホネートを含む。スルホネート界面活性剤は、アルキルグリセリルスルホネート界面活性剤を含んでいてもよい。
【０１０７】
本発明のアニオン性界面活性剤は、酸形態であってもよく、前記酸形態を中和して、本発明の洗剤組成物において使用するために望ましい界面活性剤塩を形成していてもよい。中和のための典型的な作用物質は、金属対イオン塩基、たとえば水酸化物、たとえばＮａＯＨまたはＫＯＨを含む。本発明のアニオン性界面活性剤およびそれらの酸形態における補助アニオン性界面活性剤または共界面活性剤を中和するためのさらなる好ましい作用物質は、アンモニア、アミンまたはアルカノールアミンを含む。アルカノールアミンが好ましい。モノエタノールアミン、ジエタノールアミン、トリエタノールアミン、および当技術分野で公知である他の直鎖状または分枝アルカノールアミンを含む好適な非限定的な例、たとえば、非常に好ましいアルカノールアミンは、２−アミノ−１−プロパノール、１−アミノプロパノール、モノイソプロパノールアミンまたは１−アミノ−３−プロパノールを含む。
非イオン性界面活性剤
好ましくは、組成物は、非イオン性洗浄性界面活性剤を含む。好適な非イオン性界面活性剤は、アルコキシル化脂肪アルコールを含む。非イオン性界面活性剤は、式Ｒ（ＯＣ２Ｈ４），ＯＨのエトキシル化アルコールおよびエトキシル化アルキルフェノールから選択されていてもよく、式中、Ｒは、約８〜約１５個の炭素原子を含有する脂肪族炭化水素ラジカル、およびアルキルフェニルラジカルからなる群から選択され、ここで、アルキル基は、約８〜約１２個の炭素原子を含有し、ｎの平均値は、約５〜約１５である。ここで有用な非イオン性界面活性剤の他の非限定的な例は、Ｃ８〜Ｃ１８アルキルエトキシレート、たとえばＳｈｅｌｌ製のＮＥＯＤＯＬ（登録商標）非イオン性界面活性剤；Ｃ６〜Ｃ１２アルキルフェノールアルコキシレート（ここで、アルコキシレート単位は、エチレンオキシ単位、プロピレンオキシ単位、またはそれらの混合物であってもよい）；エチレンオキシド／プロピレンオキシドブロックポリマーを持つＣ１２〜Ｃ１８アルコールおよびＣ６〜Ｃ１２アルキルフェノール凝縮物、たとえばＢＡＳＦ製のＰｌｕｒｏｎｉｃ（登録商標）；Ｃ１４〜Ｃ２２中鎖分枝アルコール、ＢＡ；Ｃ１４〜Ｃ２２中鎖分枝アルキルアルコキシレート、ＢＡＥＸ（ここで、ｘは、１〜３０である）；アルキル多糖；具体的にアルキルポリグルコシド；ポリヒドロキシ脂肪酸アミド；ならびにエーテルでキャップされたポリ（オキシアルキル化）アルコール界面活性剤を含む。具体例は、Ｓｈｅｌｌ製のＣ１２〜Ｃ１５  ＥＯ７およびＣ１４〜Ｃ１５  ＥＯ７  ＮＥＯＤＯＬ（登録商標）非イオン性界面活性剤、Ｈｕｎｔｓｍａｎ製のＣ１２〜Ｃ１４  ＥＯ７およびＣ１２〜Ｃ１４  ＥＯ９  Ｓｕｒｆｏｎｉｃ（登録商標）非イオン性界面活性剤を含む。
【０１０８】
非常に好ましい非イオン性界面活性剤は、アルコール１モル当たり２〜１８、好ましくは２〜１５、より好ましくは５〜９モルのエチレンオキシドを持つ、ゲルベアルコールの縮合生成物である。好適な非イオン性界面活性剤は、ＢＡＳＦ製の商標名Ｌｕｔｅｎｓｏｌ（登録商標）を持つものを含む。Ｌｕｔｅｎｓｏｌ  ＸＰ−５０は、平均約５つのエトキシ基を含有するゲルベエトキシレートである。Ｌｕｔｅｎｓｏｌ  ＸＰ−８０および平均約８つのエトキシ基を含有すること。ここで使用するための他の好適な非イオン性界面活性剤は、脂肪アルコールポリグリコールエーテル、アルキルポリグルコシドおよび脂肪酸グルカミド、ゲルベアルコールに基づくアルキルポリグルコシドを含む。
両性界面活性剤
界面活性剤系は、両性界面活性剤、たとえばアミンオキシドを含んでいてもよい。好ましいアミンオキシドは、アルキルジメチルアミンオキシドまたはアルキルアミドプロピルジメチルアミンオキシド、より好ましくはアルキルジメチルアミンオキシド、とりわけココジメチルアミノオキシドである。アミンオキシドは、直鎖状または中分枝（mid-branched）アルキル部分を有していてもよい。
両性電解質性界面活性剤
界面活性剤系は、両性電解質性界面活性剤を含んでいてもよい。両性電解質性界面活性剤の具体的な非限定的な例は、第二級もしくは第三級アミンの脂肪族誘導体、またはヘテロ環式第二級および第三級アミンの脂肪族誘導体を含み、ここで、脂肪族ラジカルは、直鎖または分枝鎖であり得る。脂肪族置換基の１つは、少なくとも約８個の炭素原子、たとえば約８〜約１８個の炭素原子を含有していてもよく、少なくとも１つは、アニオン性水溶性基、たとえばカルボキシ、スルホネート、スルフェートを含有している。たとえば、両性電解質性界面活性剤の好適な例については、米国特許第３，９２９，６７８号、１９段、１８〜３５行を参照されたい。
両性イオン性界面活性剤
両性イオン性界面活性剤は、当技術分野において公知であり、概して、全体的に中性に荷電しているが、少なくとも１個の正に荷電した原子／基および少なくとも１個の負に荷電した原子／基を有する、界面活性剤を含む。両性イオン性界面活性剤の例は、第二級および第三級アミンの誘導体、ヘテロ環式第二級および第三級アミンの誘導体、または第四級アンモニウム、第四級ホスホニウムもしくは第三級スルホニウム化合物の誘導体を含む。両性イオン性界面活性剤；アルキルジメチルベタインおよびココジメチルアミドプロピルベタイン、Ｃ８〜Ｃ１８（たとえば、Ｃ１２〜Ｃ１８）アミンオキシドならびにスルホおよびヒドロキシベタイン、たとえば、アルキル基が、Ｃ８〜Ｃ１８、ある特定の態様において、Ｃ１０〜Ｃ１４であり得る場合、Ｎ−アルキル−Ｎ，Ｎ−ジメチルアミノ−１−プロパンスルホネートを含む、ベタインの例については、米国特許第３，９２９，６７８号、１９段、３８行〜２２段、４８行を参照されたい。本発明において使用するための好ましい両性イオン性界面活性剤は、ココアミドプロピルベタインである。
カチオン性界面活性剤
カチオン性界面活性剤の例は、第四級アンモニウム界面活性剤を含み、これは、具体的には最大２６個の炭素原子を有し得る。追加の例は、ａ）米国特許第６，１３６，７６９号において論じられている通りのアルコキシレート第四級アンモニウム（ＡＱＡ）界面活性剤；ｂ）米国特許第６，００４，９２２号において論じられている通りのジメチルヒドロキシエチル第四級アンモニウム；ｃ）参照によりここに組み込まれる、ＷＯ９８／３５００２、ＷＯ９８／３５００３、ＷＯ９８／３５００４、ＷＯ９８／３５００５およびＷＯ９８／３５００６において論じられている通りのポリアミンカチオン性界面活性剤；ｄ）参照によりここに組み込まれる、米国特許第４，２２８，０４２号、同第４，２３９，６６０号、同第４，２６０，５２９号および米国特許第６，０２２，８４４号において論じられている通りのカチオン性エステル界面活性剤、ならびに、ｅ）参照によりここに組み込まれる米国特許第６，２２１，８２５号およびＷＯ００／４７７０８において論じられている通りのアミノ界面活性剤、ならびに具体的にアミドプロピルジメチルアミン（ＡＰＡ）を含む。有用なカチオン性界面活性剤は、米国特許第４，２２２，９０５号、Ｃｏｃｋｒｅｌｌ、１９８０年９月１６日発行において、および米国特許第４，２３９，６５９号、Ｍｕｒｐｈｙ、１９８０年１２月１６日発行において記述されているものも含み、それらの両方とも、参照によりここに組み込まれる。第四級アンモニウム化合物は、織物増強組成物、たとえば織物柔軟剤中に存在していてもよく、構造ＮＲ４＋の正に荷電した多原子イオンである第四級アンモニウムカチオンを含んでいてもよく、ここで、Ｒは、アルキル基またはアリール基である。
補助クリーニング添加剤
本発明のクリーニング組成物は、補助クリーニング添加剤を含有していてもよい。クリーニング補助添加剤の正確な性質およびその組み込みのレベルは、クリーニング組成物の物理的形態、およびそれが使用されることになっているクリーニング操作の正確な性質によって決まることになる。
【０１０９】
補助クリーニング添加剤は、ビルダー、構造化剤または増粘剤、粘土汚れ除去／再付着防止剤、ポリマー性汚れ放出剤、ポリマー性分散剤、ポリマー性グリースクリーニング剤、酵素、酵素安定化系、漂白化合物、漂白剤、漂白活性化剤、漂白触媒、増白剤、染料、色相付与剤、染料移行阻害剤、キレート化剤、泡抑制剤、柔軟剤および香料からなる群から選択されていてもよい。補助クリーニング添加剤のこの一覧は、例示的なものに過ぎず、使用され得る補助クリーニング添加剤のタイプを限定するものとしてではない。原理上、当技術分野において公知のあらゆる補助クリーニング添加剤が本発明において使用されていてもよい。
ポリマー
組成物は、１種以上のポリマーを含んでいてもよい。非限定的な例は、そのすべてが任意に修飾されていてもよく、ＷＯ２０１６／０４１６７６において記述されている通り、ポリエチレンイミン、カルボキシメチルセルロース、ポリ（ビニル−ピロリドン）、ポリ（エチレングリコール）、ポリ（ビニルアルコール）、ポリ（ビニルピリジン−Ｎ−オキシド）、ポリ（ビニルイミダゾール）、ポリカルボキシレートまたはアルコキシル化置換フェノール（ＡＳＰ）を含む。ＡＳＰ分散剤の例は、Ｃｌａｒｉａｎｔから入手可能なＨＯＳＴＡＰＡＬ  ＢＶ  ＣＯＮＣ  Ｓ１０００を含むがこれに限定されない。
【０１１０】
ポリアミンは、グリース、微粒子除去または染み除去に使用されていてもよい。多種多様なアミンおよびポリアルキレンイミンを種々の程度にアルコキシル化して、疎水性または親水性クリーニングを達成することができる。そのような化合物は、エトキシル化ポリエチレンイミン、エトキシル化ヘキサメチレンジアミン、およびそれらの硫酸化バージョンを含んでいてもよいがこれらに限定されない。そのようなポリマーの有用な例は、ＢＡＳＦから入手可能なＨＰ２０、または下記の一般的な構造を有するポリマー：
ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）［式中、ｎ＝２０〜３０であり、ｘ＝３〜８である］、またはその硫酸化もしくはスルホン化バリアントである。より優れたグリース除去および乳化を達成するために、ポリプロポキシル化−ポリエトキシル化両親媒性ポリエチレンイミン誘導体も含まれていてもよい。これらは、好ましくは内側ポリエチレンオキシドブロックおよび外側ポリプロピレンオキシドブロックを有する、アルコキシル化ポリアルキレンイミンを含んでいてもよい。洗剤組成物は、増強された飲料の染み除去に有用な、修飾されていないポリエチレンイミンを含有していてもよい。種々の分子量のＰＥＩは、商標名Ｌｕｐａｓｏｌ（登録商標）で、ＢＡＳＦ  Ｃｏｒｐｏｒａｔｉｏｎから市販されている。好適なＰＥＩの例は、Ｌｕｐａｓｏｌ  ＦＧ（登録商標）、Ｌｕｐａｓｏｌ  Ｇ−３５（登録商標）を含むがこれらに限定されない。
【０１１１】
組成物は、ポリマー性分散剤として有用な、１種以上のカルボキシレートポリマー、たとえばマレエート／アクリレートランダムコポリマーまたはポリアクリレートホモポリマーを含んでいてもよい。アルコキシル化ポリカルボキシレート、たとえばポリアクリレートから調製されたものも、粘土分散性を提供するために有用である。そのような材料は、ＷＯ９１／０８２８１において記述されている。化学的に、これらの材料は、７〜８つのアクリレート単位ごとに１つのエトキシ側鎖を有するポリアクリレートを含む。側鎖は、式−（ＣＨ２ＣＨ２Ｏ）ｍ（ＣＨ２）ｎＣＨ３のものであり、式中、ｍは、２〜３であり、ｎは、６〜１２である。側鎖は、ポリアクリレート「主鎖」とエステルまたはエーテル結合して、「コーム」ポリマー型構造を提供する。
【０１１２】
好ましい両親媒性グラフトコポリマーは、（ｉ）ポリエチレン（polyethyelene）グリコール主鎖；ならびに（ｉｉ）ポリ酢酸ビニル、ポリビニルアルコールおよびそれらの混合物から選択される少なくとも１つのペンダント部分を含む。両親媒性グラフトコポリマーの例は、ＢＡＳＦから供給されるＳｏｋａｌａｎ  ＨＰ２２である。
【０１１３】
ＷＯ２０１６／０４１６７６において記述されている通りのアルコキシル化置換フェノールも、粘土分散性を提供するポリマーの好適な例である。Ｃｌａｒｉａｎｔから入手可能なＨｏｓｔａｐａｌ  ＢＶ  Ｃｏｎｃ  Ｓ１０００は、ＡＳＰ分散剤の１つの非限定的な例である。
【０１１４】
好ましくは、組成物は、１種以上の汚れ放出ポリマーを含む。好適な汚れ放出ポリマーは、ポリエステル汚れ放出ポリマー、たとえばＲｈｏｄｉａによって供給される、Ｒｅｐｅｌ−ｏ−ｔｅｘ  ＳＦ、ＳＦ−２およびＳＲＰ６を含む、Ｒｅｐｅｌ−ｏ−ｔｅｘポリマーである。他の好適な汚れ放出ポリマーは、Ｃｌａｒｉａｎｔによって供給される、Ｔｅｘｃａｒｅ  ＳＲＡ１００、ＳＲＡ３００、ＳＲＮ１００、ＳＲＮ１７０、ＳＲＮ２４０、ＳＲＮ２６０、ＳＲＮ３００およびＳＲＮ３２５を含む、Ｔｅｘｃａｒｅポリマーを含む。他の好適な汚れ放出ポリマーは、Ｍａｒｌｏｑｕｅｓｔポリマー、たとえばＳａｓｏｌによって供給される、Ｍａｒｌｏｑｕｅｓｔ  ＳＬ、ＨＳＣＢ、Ｌ２３５Ｍ、Ｂ、Ｇ８２である。他の好適な汚れ放出ポリマーは、ＵＳ９，３６５，８０６において記述されている通りの、メチルでキャップされたエトキシル化プロポキシル化汚れ放出ポリマーを含む。
【０１１５】
好ましくは、組成物は、カルボキシメチルセルロース、メチルカルボキシメチルセルロース、スルホエチルセルロース、メチルヒドロキシエチルセルロース、カルボキシメチルキシログルカン、カルボキシメチルキシラン、スルホエチルガラクトマンナン、カルボキシメチルガラクトマンナン、ヒドロキシエチルガラクトマンナン、スルホエチルデンプン、カルボキシメチルデンプン、およびそれらの混合物から特に選択されていてもよい、１種以上の多糖を含む。本発明において使用するのに好適な他の多糖は、グルカンである。好ましいグルカンは、グリコシド結合（すなわち、グルコシド結合）によって一緒に結合しているグルコースモノマー単位を含むポリマーであるポリアルファ−１，３−グルカンであり、ここで、グリコシド結合の少なくとも約５０％は、アルファ−１，３−グリコシド結合である。ポリアルファ−１，３−グルカンは、多糖の一種である。ポリアルファ−１，３−グルカンは、１種以上のグルコシルトランスフェラーゼ酵素を使用してスクロースから酵素的に生成することができ、たとえば米国特許第７，０００，０００号ならびに米国特許出願公開第２０１３／０２４４２８８号および同第２０１３／０２４４２８７号（これらのすべては参照によりここに組み込まれる）において記述されている。
【０１１６】
組成物において使用するための他の好適な多糖は、カチオン性多糖である。カチオン性多糖の例は、カチオン性グアーガム誘導体、第四級窒素含有セルロースエーテル、ならびにエーテル化セルロース、グアーおよびデンプンのコポリマーである合成ポリマーを含む。使用する場合、ここでのカチオン性ポリマーは、組成物に可溶性であるか、または以上で記述したカチオン性ポリマーならびにアニオン性、両性および／もしくは両性イオン性界面活性剤成分によって形成された組成物中の複合コアセルベート相に可溶性であるかの何れかである。好適なカチオン性ポリマーは、米国特許第３，９６２，４１８号、同第３，９５８，５８１号、および米国公開第２００７／０２０７１０９Ａ１号において記述されている。
【０１１７】
ポリマーは、他の洗剤原材料のための堆積助剤としても機能することができる。好ましい堆積助剤は、カチオン性および非イオン性ポリマーからなる群から選択される。好適なポリマーは、カチオン性デンプン、カチオン性ヒドロキシエチルセルロース、ポリビニルホルムアルデヒド、ローカストビーンガム、マンナン、キシログルカン、タマリンドガム、ポリエチレンテレフタレート、およびジメチルアミノエチルメタクリレートを含有するポリマーを含み、アクリル酸およびアクリルアミドを含む群から選択される１種以上のモノマーを任意に含有していてもよい。
追加のアミン
ポリアミンは、グリース除去を改良することが公知である。性能が好ましい環式および直鎖状アミンは、１，３−ビス（メチルアミン）−シクロヘキサン、４−メチルシクロヘキサン−１，３−ジアミン（ＢＡＳＦによって供給されるＢａｘｘｏｄｕｒ  ＥＣＸ  ２１０）、１，３プロパンジアミン、１，６ヘキサンジアミン、１，３ペンタンジアミン（Ｉｎｖｉｓｔａによって供給されるＤｙｔｅｋ  ＥＰ）、２−メチル１，５ペンタンジアミン（Ｉｎｖｉｓｔａによって供給されるＤｙｔｅｋ  Ａ）である。ＵＳ６７１００２３は、少なくとも３つのプロトン化可能なアミンを含有する前記ジアミンおよびポリアミンを含有する食器手洗い組成物を開示している。本発明に従うポリアミンは、洗浄ｐＨを上回る少なくとも１ｐｋａおよび約６より大きく洗浄ｐＨを下回る少なくとも２ｐｋａを有する。好ましいポリアミンは、Ｄｏｗ、ＢＡＳＦおよびＨｕｎｔｍａｎから市販されている、テトラエチレンペンタミン、ヘキサエチルヘキサミン、ヘプタエチルヘプタミン（heptaethylheptamine）、オクタエチルオクタミン（octaethyloctamine）、ノネチルノナミン（nonethylnonamine）およびそれらの混合物からなる群から選択される。とりわけ好ましいポリエーテルアミンは、ＵＳ９７５２１０１、ＵＳ９４８７７３９、ＵＳ９６３１１６３において記述されている通り、親油性修飾されている。
染料移行阻害剤（ＤＴＩ）
組成物は、１種以上の染料移行阻害剤を含んでいてもよい。本発明の一態様において、本発明者らは、驚くべきことに、指定された染料に加えてポリマー性染料移行阻害剤を含む組成物が、性能の改良を与えることを見出した。これは、これらのポリマーが染料堆積を防止することから、驚くべきことである。好適な染料移行阻害剤は、ポリビニルピロリドンポリマー、ポリアミンＮ−オキシドポリマー、Ｎ−ビニルピロリドンおよびＮ−ビニルイミダゾール、ポリビニルオキサゾリドンおよびポリビニルイミダゾールのコポリマーまたはそれらの混合物を含むがこれらに限定されない。好適な例は、Ａｓｈｌａｎｄ  Ａｑｕａｌｏｎ製の、ＰＶＰ−Ｋ１５、ＰＶＰ−Ｋ３０、ＣｈｒｏｍａＢｏｎｄ  Ｓ−４００、ＣｈｒｏｍａＢｏｎｄ  Ｓ−４０３ＥおよびＣｈｒｏｍａｂｏｎｄ  Ｓ−１００、ならびに、ＢＡＳＦ製の、Ｓｏｋａｌａｎ  ＨＰ１６５、Ｓｏｋａｌａｎ  ＨＰ５０、Ｓｏｋａｌａｎ  ＨＰ５３、Ｓｏｋａｌａｎ  ＨＰ５９、Ｓｏｋａｌａｎ（登録商標）ＨＰ５６Ｋ、Ｓｏｋａｌａｎ（登録商標）ＨＰ６６を含む。他の好適なＤＴＩは、ＷＯ２０１２／００４１３４において記述されている通りである。主題組成物中に存在する場合、染料移行阻害剤は、重量で組成物の約０．０００１％〜約１０％、約０．０１％〜約５％またはさらには約０．１％〜約３％のレベルで存在していてもよい。
酵素
酵素は、基材からの、タンパク質ベース、炭水化物ベースまたはトリグリセリドベースの染みの除去、織物洗濯における浮遊染料移動の防止のためおよび織物修復のためを含む多様な目的のために、クリーニング組成物に含まれていてもよい。好適な酵素は、任意の好適な起源、たとえば植物、動物、細菌、真菌および酵母起源の、プロテアーゼ、アミラーゼ、リパーゼ、カルボヒドラーゼ、セルラーゼ、オキシダーゼ、ペルオキシダーゼ、マンナナーゼ、およびそれらの混合物を含む。ここで記述されているクリーニング組成物において使用されていてもよい他の酵素は、ヘミセルラーゼ、ペルオキシダーゼ、プロテアーゼ、セルラーゼ、エンドグルカナーゼ、キシラナーゼ、リパーゼ、ホスホリパーゼ、アミラーゼ、グルコ−アミラーゼ、キシラナーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、もしくはそれらの混合物、エステラーゼ、マンナナーゼ、ペクチン酸リアーゼ、ならびにまたはそれらの混合物を含む。他の好適な酵素は、ヌクレアーゼ酵素を含む。組成物は、ヌクレアーゼ酵素を含んでいてもよい。ヌクレアーゼ酵素は、核酸のヌクレオチドサブユニット間のホスホジエステル結合を開裂することができる酵素である。ここでのヌクレアーゼ酵素は、好ましくは、デオキシリボヌクレアーゼもしくはリボヌクレアーゼ酵素またはその機能的フラグメントである。酵素選択は、要因、たとえばｐＨ活性および／または安定性の最適条件、熱安定性、ならびに活性洗剤、ビルダーなどに対する安定性によって影響を受ける。
【０１１８】
酵素は、クリーニング組成物に、クリーニング組成物の０．０００１〜５重量％の活性酵素のレベルで組み込まれていてもよい。酵素は、別個の単一原料として、または２種以上の酵素の混合物として、添加され得る。
【０１１９】
一部の態様において、リパーゼが使用されていてもよい。リパーゼは、Ｎｏｖｏｚｙｍｅｓ（Ｄｅｎｍａｒｋ）から商標名Ｌｉｐｅｘで購入することができる。アミラーゼ（Ｎａｔａｌａｓｅ（登録商標）、Ｓｔａｉｎｚｙｍｅ（登録商標）、Ｓｔａｉｎｚｙｍｅ  Ｐｌｕｓ（登録商標））は、Ｎｏｖｏｚｙｍｅｓ、Ｂａｇｓｖａｅｒｄ、Ｄｅｎｍａｒｋによって供給されていてもよい。プロテアーゼは、Ｇｅｎｅｎｃｏｒ  Ｉｎｔｅｒｎａｔｉｏｎａｌ、Ｐａｌｏ  Ａｌｔｏ、Ｃａｌｉｆ．、ＵＳＡ（たとえば、Ｐｕｒａｆｅｃｔ  Ｐｒｉｍｅ（登録商標））によって、またはＮｏｖｏｚｙｍｅｓ、Ｂａｇｓｖａｅｒｄ、Ｄｅｎｍａｒｋ（たとえば、Ｌｉｑｕａｎａｓｅ（登録商標）、Ｃｏｒｏｎａｓｅ（登録商標）、Ｓａｖｉｎａｓｅ（登録商標））によって供給されていてもよい。他の好ましい酵素は、ペクチン酸リアーゼ、好ましくは商標名Ｐｅｃｔａｗａｓｈ（登録商標）、Ｘｐｅｃｔ（登録商標）、Ｐｅｃｔａｗａｙ（登録商標）で販売されているもの、ならびに商標名Ｍａｎｎａｗａｙ（登録商標）（すべてＮｏｖｏｚｙｍｅｓ  Ａ／Ｓ、Ｂａｇｓｖａｅｒｄ、Ｄｅｎｍａｒｋ製）およびＰｕｒａｂｒｉｔｅ（登録商標）（Ｇｅｎｅｎｃｏｒ  Ｉｎｔｅｒｎａｔｉｏｎａｌ  Ｉｎｃ．、Ｐａｌｏ  Ａｌｔｏ、Ｃａｌｉｆｏｒｎｉａ）で販売されているマンナナーゼを含む。様々な酵素材料および合成クリーニング組成物へのそれらの組み込みのための手段は、ＷＯ９３０７２６３Ａ、ＷＯ９３０７２６０Ａ、ＷＯ８９０８６９４Ａ、米国特許第３，５５３，１３９号、同第４，１０１，４５７号および米国特許第４，５０７，２１９号において開示されている。液体クリーニング組成物に有用な酵素材料およびそのような組成物へのそれらの組み込みは、米国特許第４，２６１，８６８号において開示されている。
酵素安定化系
ここで記述されている酵素含有組成物は、重量で組成物の約０．００１％〜約１０％、一部の例において、約０．００５％〜約８％、他の例において、約０．０１％〜約６％の酵素安定化系を任意に含んでいてもよい。酵素安定化系は、洗浄性酵素と相溶性の任意の安定化系であることができる。そのような系は、他の調合活性物質によって生得的に提供されていてもよく、たとえば調合者によってまたは洗剤用の酵素の製造業者によって、別個に添加されていてもよい。そのような安定化系は、たとえば、カルシウムイオン、ホウ酸、プロピレングリコール、短鎖カルボン酸、ボロン酸、塩素系漂白剤スカベンジャーおよびそれらの混合物を含むことができ、クリーニング組成物のタイプおよび物理的形態に応じて、異なる安定化の問題に対処するように設計されている。ボレート安定剤の総説については、米国特許第４，５３７，７０６号を参照されたい。
キレート化剤
好ましくは、組成物は、キレート化剤および／または結晶成長阻害剤を含む。好適な分子は、銅、鉄および／またはマンガンキレート化剤ならびにそれらの混合物を含む。好適な分子は、アミノカルボキシレート、アミノホスホネート、スクシネート、それらの塩、およびそれらの混合物を含む。ここで使用するために好適なキレート剤の非限定的な例は、エチレンジアミン四酢酸、Ｎ−（ヒドロキシエチル）−エチレン−ジアミン−トリアセテート、ニトリロトリアセテート、エチレンジアミンテトラプロピオネート、トリエチレン−テトラアミン−ヘキサアセテート、ジエチレントリアミン−ペンタアセテート、エタノールジグリシン、エチレンジアミンテトラキス（メチレンホスホネート）、ジエチレントリアミンペンタ（メチレンホスホン酸）（ＤＴＰＭＰ）、エチレンジアミンジスクシネート（ＥＤＤＳ）、ヒドロキシエタンジメチレンホスホン酸（ＨＥＤＰ）、メチルグリシン二酢酸（ＭＧＤＡ）、ジエチレントリアミン五酢酸（ＤＴＰＡ）および１，２−ジヒドロキシベンゼン−３，５−ジスルホン酸（タイロン）、それらの塩、ならびにそれらの混合物を含む。タイロンおよび他のスルホン化カテコールも、有効な重金属キレート剤として使用されていてもよい。本発明における使用のキレート剤の他の非限定的な例は、米国特許第７４４５６４４号、同第７５８５３７６号および２００９／０１７６６８４Ａ１において見られる。ここで使用するための他の好適なキレート化剤は、市販のＤＥＱＵＥＳＴシリーズ、ならびにＭｏｎｓａｎｔｏ、ＤｕＰｏｎｔおよびＮａｌｃｏ  Ｉｎｃ製のキレート剤である。
増白剤
光学的増白剤または他の増白剤もしくは白色化剤が、組成物の約０．０１〜約１．２重量％のレベルで、ここで記述されているクリーニング組成物に組み込まれていてもよい。ここで使用されていてもよい市販の光学的増白剤は、スチルベン、ピラゾリン、クマリン、カルボン酸、メチンシアニン、ジベンゾチオフェン−５，５−ジオキシド、アゾール、５および６員環のヘテロ環の誘導体、ならびに他の種々雑多な作用物質を含むが必ずしもこれらに限定されるとは限らない、下位群に分類され得る。そのような増白剤の例は、「Ｔｈｅ  Ｐｒｏｄｕｃｔｉｏｎ  ａｎｄ  Ａｐｐｌｉｃａｔｉｏｎ  ｏｆ  Ｆｌｕｏｒｅｓｃｅｎｔ  Ｂｒｉｇｈｔｅｎｉｎｇ  Ａｇｅｎｔｓ」、Ｍ．Ｚａｈｒａｄｎｉｋ、Ｊｏｈｎ  Ｗｉｌｅｙ＆Ｓｏｎｓ、Ｎｅｗ  Ｙｏｒｋ（１９８２）において開示されている。本発明の組成物において有用となり得る光学的増白剤の具体的な非限定的な例は、米国特許第４，７９０，８５６号および米国特許第３，６４６，０１５号において同定されているものである。非常に好ましい増白剤は、ジナトリウム４，４’−ビス｛［４−アニリノ−６−［ビス（２−ヒドロキシエチル）アミノ−ｓ−トリアジン−２−イル］−アミノ｝−２，２’−スチルベンジスルホネート、４，４’−ビス｛［４−アニリノ−６−モルホリノ−ｓ−トリアジン−２−イル］−アミノ｝−２，２’−スチルベンジスルホネート、ジナトリウム４，４”−ビス［（４，６−ジ−アニリノ−ｓ−トリアジン−２−イル）−アミノ］−２，２’−スチルベンジスルホネートおよびジナトリウム４，４’−ビス−（２−スルホスチリル）ビフェニルを含む。
漂白剤
組成物は、１種以上の漂白剤を含むことが好ましい場合がある。好適な漂白剤は、光漂白剤、過酸化水素、過酸化水素の供給源、予め形成された過酸およびそれらの混合物を含む。
【０１２０】
（１）光漂白剤、たとえばスルホン化亜鉛フタロシアニン、スルホン化アルミニウムフタロシアニン、キサンテン染料およびそれらの混合物、
（２）予め形成された過酸：好適な予め形成された過酸は、予め形成されたペルオキシ酸からなる群から選択される化合物、またはそれらの塩、典型的には、過カルボン酸および塩、過炭酸および塩、過イミド酸および塩、ペルオキシモノスルホン酸および塩、たとえば、Ｏｘｏｎｅ（登録商標）、ならびにそれらの混合物を含むがこれらに限定されない。好適な例は、ペルオキシカルボン酸もしくはその塩、またはペルオキシスルホン酸もしくはその塩を含む。特に好ましいペルオキシ酸は、フタルイミド−ペルオキシ−アルカン酸、特にε−フタルイミドペルオキシヘキサン酸（ＰＡＰ）である。好ましくは、過酸またはその塩は、３０℃〜６０℃の範囲内の融点を有する。
【０１２１】
（３）過酸化水素の供給源、たとえば、アルカリ金属塩、たとえば過ホウ酸塩（通常は一または四水和物）、過炭酸塩、過硫酸塩、過リン酸塩、過ケイ酸塩およびそれらの混合物のナトリウム塩を含む、無機過酸化水素化物塩。
織物シェーディング染料
織物シェーディング染料（時に、色相付与剤、青味剤または白色化剤と称される）は、典型的には、青色または紫色のシェーディングを織物に提供する。そのような染料は、当技術分野において周知であり、色相付与の具体的なシェーディングを作成するためおよび／または異なる織物タイプをシェーディングするために、単独でまたは組み合わせての何れかで使用されていてもよい。織物シェーディング染料は、アクリジン、アントラキノン（多環式キノンを含む）、アジン、アゾ（たとえば、モノアゾ、ジスアゾ、トリスアゾ、テトラキスアゾ、ポリアゾ）、ベンゾジフラン、ベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ、ニトロソ、オキサジン、フタロシアニン、ピラゾール、スチルベン、スチリル、トリアリールメタン、トリフェニルメタン、キサンテンおよびそれらの混合物を含むがこれらに限定されない、当技術分野において公知の通りの任意の化学クラスの染料から選択されていてもよい。本発明の洗濯ケア組成物中に存在する補助織物シェーディング染料の量は、典型的には、全クリーニング組成物に基づき、０．０００１〜０．０５重量％、好ましくは０．０００１〜０．００５重量％である。洗浄液に基づき、織物シェーディング染料の濃度は、典型的には、１ｐｐｂ〜５ｐｐｍ、好ましくは１０ｐｐｂ〜５００ｐｐｂである。
【０１２２】
好適な織物シェーディング染料は、小分子染料、ポリマー性染料および染料−粘土コンジュゲートを含む。好ましい織物シェーディング染料は、小分子染料およびポリマー性染料から選択される。好適な小分子染料は、酸、直接、塩基性、反応性、溶媒または分散染料のカラーインデックス（Colour Index）（Ｃ．Ｉ．、英国染料染色学会（Society of Dyers and Colourists）、Ｂｒａｄｆｏｒｄ、ＵＫ）分類に入る染料からなる群から選択されていてもよい。
【０１２３】
好適なポリマー性染料は、共有結合した（時に、コンジュゲートとも称される）クロモゲン（染料−ポリマーコンジュゲートとしても公知である）を含有するポリマー、たとえばポリマーの主鎖にクロモゲンモノマーが共重合されたポリマーおよびそれらの混合物からなる群から選択される染料を含む。好ましいポリマー性染料は、任意に置換されていてもよいアルコキシル化染料、たとえばアルコキシル化トリフェニル−メタンポリマー性着色剤、アルコキシル化チオフェンポリマー性着色剤を含むアルコキシル化炭素環式およびアルコキシル化ヘテロ環式アゾ着色剤、ならびにそれらの混合物、たとえばＬｉｑｕｉｔｉｎｔ（登録商標）の名称で販売されている織物に実質的な着色剤（Ｍｉｌｌｉｋｅｎ、Ｓｐａｒｔａｎｂｕｒｇ、Ｓｏｕｔｈ  Ｃａｒｏｌｉｎａ、ＵＳＡ）を含む。
【０１２４】
好適な染料粘土コンジュゲートは、少なくとも１種のカチオン性／塩基性染料およびスメクタイト粘土を含む群から選択される染料粘土コンジュゲートを含み；好ましい粘土は、モンモリロナイト粘土、ヘクトライト粘土、サポナイト粘土およびそれらの混合物からなる群から選択されていてもよい。
【０１２５】
顔料は、当技術分野において周知であり、ここでの洗濯ケア組成物において使用されていてもよい。好適な顔料は、Ｃ．Ｉ．ピグメントブルー１５〜２０、とりわけ１５および／または１６、Ｃ．Ｉ．ピグメントブルー２９、Ｃ．Ｉ．ピグメントバイオレット１５、モナストラルブルーならびにそれらの混合物を含む。
ビルダー
本発明のクリーニング組成物は、ビルダーを任意に含んでいてもよい。アルミノシリケートおよびシリケートから選択されるビルダーは、洗浄水中での鉱物硬度を制御することを補助する、または表面からの粒子状の汚れの除去を補助するためのものである。好適なビルダーは、ホスフェートポリホスフェート、とりわけそのナトリウム塩；カーボネート、ビカーボネート、セスキカーボネート、および炭酸ナトリウムまたはセスキカーボネート以外の炭酸塩鉱物；有機モノ−、ジ−、トリ−およびテトラカルボキシレート、とりわけ酸、ナトリウム、カリウムまたはアルカノールアンモニウム塩形態の水溶性非界面活性剤カルボキシレート、ならびに脂肪族および芳香族タイプを含むオリゴマー性または水溶性低分子量ポリマーカルボキシレート；ならびにフィチン酸からなる群から選択されていてもよい。これらは、ボレートによって、たとえばｐＨ緩衝目的のために、またはスルフェート、とりわけ硫酸ナトリウムならびに安定な界面活性剤および／もしくはビルダー含有クリーニング組成物のエンジニアリングに重要となり得る任意の他の賦形剤もしくは担体によって、補完されていてもよい。
ｐＨ緩衝液系
組成物は、ｐＨ緩衝液系を含んでいてもよい。ここでのクリーニング組成物は、水性クリーニング操作で使用中、洗浄水が、約６．０乃至約１２、一部の例において、約７．０乃至１１のｐＨを有するように調合されていてもよい。ｐＨを推奨される使用レベルに制御するための技術は、緩衝液、アルカリまたは酸の使用を含み、当業者に周知である。これらは、炭酸ナトリウム、クエン酸またはクエン酸ナトリウム、モノエタノールアミンまたは他のアミン、ホウ酸またはボレート、および当技術分野において周知である他のｐＨ調整化合物の使用を含むがこれらに限定されない。ここでのクリーニング組成物は、クエン酸の放出を遅延させることにより、動的な洗浄中ｐＨプロファイルを含んでいてもよい。
構造化剤／増粘剤
構造化された液体は、内部的に構造化され、それにより、構造が主原料（たとえば、界面活性剤材料）によって形成され得るか、かつ／または副原料（たとえば、ポリマー、粘土および／またはシリケート材料）を使用して三次元マトリックス構造を提供することによって外部的に構造化され得る。組成物は、組成物の約０．０１〜約５重量％の構造化剤、一部の例において、組成物の約０．１〜約２．０重量％の構造化剤を含んでいてもよい。構造化剤は、ジグリセリドおよびトリグリセリド、エチレングリコールジステアレート、微結晶性セルロース、セルロースベースの材料、マイクロファイバーセルロース、バイオポリマー、キサンタンガム、ゲランガム、ならびにそれらの混合物からなる群から選択されていてもよい。一部の例において、好適な構造化剤は、水素化ヒマシ油、およびその非エトキシル化誘導体を含む。他の好適な構造化剤は、米国特許第６，８５５，６８０号において開示されている。そのような構造化剤は、様々なアスペクト比を有する糸状構造システムを有する。さらなる好適な構造化剤およびそれらを作製するための方法は、ＷＯ２０１０／０３４７３６において記述されている。
泡抑制剤
泡の形成を低減させるまたは抑制するための化合物を、ここで記述されているクリーニング組成物に組み込むことができる。泡抑制は、米国特許第４，４８９，４５５号、同第４，４８９，５７４号において記述されている通りのいわゆる「高濃度クリーニング方法」において、およびフロントローディング式洗濯機において、特に重要となり得る。
【０１２６】
多種多様な材料が泡抑制剤として使用されていてもよく、泡抑制剤は、当業者に周知である。たとえば、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第３版、第７巻、４３０〜４４７頁（Ｊｏｈｎ  Ｗｉｌｅｙ＆Ｓｏｎｓ，Ｉｎｃ．、１９７９）を参照されたい。泡抑制剤の例は、モノカルボン脂肪酸、およびその中の可溶性塩、高分子量炭化水素、たとえばパラフィン、脂肪酸エステル（たとえば、脂肪酸トリグリセリド）、一価アルコールの脂肪酸エステル、脂肪族Ｃ１８〜Ｃ４０ケトン（たとえば、ステアロン）、Ｎ−アルキル化アミノトリアジン、好ましくは約１００℃未満の融点を有するワックス状炭化水素、シリコーン泡抑制剤、ならびに第二級アルコールを含む。泡抑制剤は、米国特許第２，９５４，３４７号、同第４，０７５，１１８号、同第４，２６５，７７９号、同第４，２６５，７７９号、同第３，４５５，８３９号、同第３，９３３，６７２号、同第４，６５２，３９２号、同第４，９７８，４７１号、同第４，９８３，３１６号、同第５，２８８，４３１号、同第４，６３９，４８９号、同第４，７４９，７４０号および同第４，７９８，６７９号において記述されている。
【０１２７】
ここでのクリーニング組成物は、組成物の０〜約１０重量％の泡抑制剤を含んでいてもよい。泡抑制剤として利用される場合、モノカルボン脂肪酸およびその塩は、クリーニング組成物の最大約５重量％の量で存在していてもよく、一部の例において、クリーニング組成物の約０．５〜約３重量％であってもよい。シリコーン泡抑制剤は、クリーニング組成物の最大約２．０重量％の量で利用されていてもよいが、より高い量が使用されていてもよい。モノステアリルホスフェート泡抑制剤は、クリーニング組成物の約０．１〜約２重量％の範囲の量で利用されていてもよい。炭化水素泡抑制剤は、クリーニング組成物の約０．０１〜約５．０重量％の範囲の量で利用されていてもよいが、より高いレベルを使用することができる。アルコール泡抑制剤は、クリーニング組成物の約０．２〜約３重量％で使用されていてもよい。
泡ブースター
高い泡立ちが所望される場合、泡ブースター、たとえばＣ１０〜Ｃ１６アルカノールアミドを、クリーニング組成物中に、クリーニング組成物の約１〜約１０重量％で組み込んでいてもよい。一部の例は、Ｃ１０〜Ｃ１４モノエタノールおよびジエタノールアミドを含む。所望ならば、水溶性マグネシウムおよび／またはカルシウム塩、たとえばＭｇＣｌ２、ＭｇＳＯ４、ＣａＣｌ２、ＣａＳＯ４などを、クリーニング組成物の約０．１〜約２重量％のレベルで添加して、追加の泡を提供し、グリース除去性能を増強していてもよい。
賦形剤および担体
賦形剤および担体が、ここで記述されているクリーニング組成物において使用されていてもよい。ここで使用される場合、用語「賦形剤」および「担体」は、同じ意味を有し、交換可能に使用され得る。液体クリーニング組成物、および液体成分を含むクリーニング組成物の他の形態（たとえば液体含有一回量包装クリーニング組成物）は、水または他の溶媒を賦形剤または担体として含有していてもよい。メタノール、エタノール、プロパノール、イソプロパノールおよびフェノキシエタノールによって例示される、低分子量第一級または第二級アルコールが好適である。一価アルコールは、一部の例において、界面活性剤、ならびにポリオール、たとえば２〜約６個の炭素原子および２〜約６つのヒドロキシ基（たとえば、１，２−プロパンジオール、１，３−プロパンジオール、２，３−ブタンジオール、エチレングリコールおよびグリセリンが使用されていてもよい）を含有するものを、可溶化するために使用されていてもよい。アミン含有溶媒が使用されていてもよい。
使用方法
本発明は、織物を白くするための方法を含む。消費者への販売に好適なコンパクトな流体洗剤組成物は、洗濯前処理用途、洗濯クリーニング用途およびホームケア用途において使用するのに適している。そのような方法は、未希釈形態または洗浄液中で希釈した洗剤組成物を、汚れていてもいなくてもよい織物の少なくとも一部と接触させる工程、次いで、織物を任意にリンスする工程を含むがこれらに限定されない。織物材料は、洗浄工程の後、任意選択のリンスする工程に供されていてもよい。機械洗濯方法は、有効量の本発明に従う機械洗濯洗剤組成物が溶解または分注された洗濯機内、汚れた洗濯物を洗浄水溶液で処理することを含んでいてもよい。洗剤組成物の「有効量」は、約５Ｌ〜約６５Ｌの体積の洗浄溶液中に溶解または分注された約２０ｇ〜約３００ｇの製品を意味する。水温は、約５℃〜約１００℃の範囲であってもよい。水対汚れた材料（たとえば、織物）の比は、約１：１〜約３０：１であってもよい。組成物は、溶液中約５００ｐｐｍ〜約１５，０００ｐｐｍの濃度で使用されていてもよい。織物洗濯組成物の文脈において、使用レベルは、汚れおよび染みのタイプおよび重大度だけではなく、洗浄水温度、洗浄水の体積、および洗濯機のタイプ（たとえば、トップローディング式、フロントローディング式、垂直軸日本型自動洗濯機）に応じて変動していてもよい。
【０１２８】
ここでの洗剤組成物は、低減させた洗浄温度での織物の洗濯に使用されていてもよい。織物を洗濯するこれらの方法は、洗濯洗剤組成物を水に送達して洗浄液を形成する工程と、洗濯する織物を前記洗浄液に添加する工程とを含み、ここで、洗浄液は、約０℃〜約２０℃、または約０℃〜約１５℃、または約０℃〜約９℃の温度を有する。織物は、洗濯洗剤組成物を水と接触させる前に、または後に、またはそれと同時に、水と接触させられていてもよい。別の方法は、洗剤組成物を含浸させた不織布基材を、汚れた材料と接触させることを含む。ここで使用される場合、「不織布基材」は、好適な基本重量、キャリパー（厚さ）、吸収性および強度特性を有する、任意の従来のように作られた不織布シートまたはウェブを含むことができる。好適な市販の不織布基材の非限定的な例は、ＤｕＰｏｎｔにより商標名ＳＯＮＴＡＲＡ（登録商標）およびＪａｍｅｓ  Ｒｉｖｅｒ  ＣｏｒｐによりＰＯＬＹ  ＷＥＢ（登録商標）で市販されているものを含む。
【０１２９】
手洗い／浸漬方法、および半自動洗濯機を用いる複合手洗いも含まれる。
組成物用の包装
ここで記述されているクリーニング組成物は、紙、ボール紙、プラスチック材料および任意の好適な積層板から構成されているものを含む、任意の好適な容器内に包装され得る。任意選択の包装タイプは、欧州出願第９４９２１５０５．７号において記述されている。
マルチコンパートメントポーチ
ここで記述されているクリーニング組成物は、マルチコンパートメントクリーニング組成物として包装されていてもよい。
他の補助原料
たとえば、他の活性原料、担体、ヒドロトロープ、加工助剤、染料または顔料、液体調合物用の溶媒、固体または他の液体賦形剤、エリスロシン、コロイオダルシリカ、ワックス、プロバイオティクス、サーファクチン、アミノセルロースポリマー、リシノール酸亜鉛、香料マイクロカプセル、ラムノ脂質、ソホロ脂質、糖ペプチド、メチルエステルエトキシレート、スルホン化エストリド、開裂可能な界面活性剤、バイオポリマー、シリコーン、変性シリコーン、アミノシリコーン、堆積助剤、ヒドロトロープ（とりわけクメン−スルホン酸塩、トルエン−スルホン酸塩、キシレン−スルホン酸塩およびナフタレン塩）、ＰＶＡ粒子カプセル化染料または香料、真珠光沢剤、発泡剤、変色系、シリコーンポリウレタン、乳白剤、錠剤崩壊剤、バイオマス賦形剤、速乾性シリコーン、グリコールジステアレート、デンプン香水カプセル化物；炭化水素油、ポリオレフィンおよび脂肪エステルを含む乳化油、ビスフェノール酸化防止剤、微小繊維状セルロース構造化剤、プロ香料、スチレン／アクリレートポリマー、トリアジン、石鹸、スーパーオキシドディスムターゼ、ベンゾフェノンプロテアーゼ阻害剤、官能化ＴｉＯ２、リン酸ジブチル、シリカ香料カプセル、ならびに他の補助原料、コリンオキシダーゼ、トリアリールメタンブルーおよびバイオレット塩基性染料、メチンブルーおよびバイオレット塩基性染料、アントラキノンブルーおよびバイオレット塩基性染料、アゾ染料ベーシックブルー１６、ベーシックブルー６５、ベーシックブルー６６、ベーシックブルー６７、ベーシックブルー７１、ベーシックブルー１５９、ベーシックバイオレット１９、ベーシックバイオレット３５、ベーシックバイオレット３８、ベーシックバイオレット４８、オキサジン染料、ベーシックブルー３、ベーシックブルー７５、ベーシックブルー９５、ベーシックブルー１２２、ベーシックブルー１２４、ベーシックブルー１４１、ナイルブルーＡおよびキサンテン染料ベーシックバイオレット１０、アルコキシル化トリフェニルメタンポリマー性着色剤；アルコキシル化チオフェンポリマー性着色剤；チアゾリウム染料、雲母、二酸化チタン被覆雲母、オキシ塩化ビスマス、ならびに他の活性物質を含む、多種多様な他の原料が、ここでのクリーニング組成物において使用されていてもよい。
【０１３０】
酸化防止剤：組成物は、組成物中に約０．００１〜約２重量％で存在する酸化防止剤を任意に含有していてもよい。好ましくは、酸化防止剤は、０．０１〜０．０８重量％の範囲内の濃度で存在する。酸化防止剤の混合物が使用されていてもよい。
【０１３１】
本発明において使用される酸化防止剤の１つのクラスは、アルキル化フェノールである。ヒンダードフェノール系化合物は、この式を有する好ましいタイプのアルキル化フェノールである。好ましいこのタイプのヒンダードフェノール系化合物は、３，５−ジ−ｔｅｒｔ−ブチル−４−ヒドロキシトルエン（ＢＨＴ）である。
【０１３２】
さらに、組成物において使用される酸化防止剤は、α−、β−、γ−、δ−トコフェロール、エトキシキン、２，２，４−トリメチル−１，２−ジヒドロキノリン、２，６−ジ−ｔｅｒｔ−ブチルヒドロキノン、ｔｅｒｔ−ブチルヒドロキシアニソール、リグノスルホン酸およびそれらの塩、ならびにそれらの混合物からなる群から選択されていてもよい。
【０１３３】
ここで記述されているクリーニング組成物は、ビタミンおよびアミノ酸、たとえば、水溶性ビタミンおよびそれらの誘導体、水溶性アミノ酸およびそれらの塩および／または誘導体、非水溶性アミノ酸粘度調節剤、染料、不揮発性溶媒または希釈剤（水溶性および非水溶性）、真珠光沢助剤、殺シラミ剤、ｐＨ調整剤、保存剤、皮膚活性剤、サンスクリーン剤、ＵＶ吸収剤、ナイアシンアミド、カフェインおよびミノキシジルを含有していてもよい。
【０１３４】
本発明のクリーニング組成物は、顔料材料、たとえばニトロソ、モノアゾ、ジスアゾ、カロテノイド、トリフェニルメタン、トリアリールメタン、キサンテン、キノリン、オキサジン、アジン、アントラキノン、インジゴイド、チオンインジゴイド、キナクリドン、フタロシアニン、植物性、および水溶性成分、たとえばＣ．Ｉ．名を有するものを含む天然色を含有していてもよい。
【０１３５】
本発明のクリーニング組成物は、抗菌剤を含有していてもよい。カチオン性活性原料は、無機または有機対イオン、たとえば臭素、カーボネート、またはジアルキルジメチルアンモニウムカーボネートを含む他の部分を持つ、第四級種、たとえば塩化ベンゼトニウムおよび第四級アンモニウム化合物も含む、ｎ−アルキルジメチルベンジルアンモニウムクロリド、アルキルジメチルエチルベンジルアンモニウムクロリド、ジアルキルジメチル第四級アンモニウム化合物、たとえばジデシルジメチルアンモニウムクロリド、Ｎ，Ｎ−ジデシル−Ｎメチル−ポリ（オキシエチル）アンモニウムプロピオネート、ジオクチルジデシルアンモニウムクロリド、ならびに、抗菌アミン、たとえばグルコン酸クロルヘキシジン、ＰＨＭＢ（ポリヘキサメチレンビグアニド）、ビグアニドの塩、置換ビグアニド誘導体、第四級アンモニウム含有化合物の有機塩もしくは第四級アンモニウム含有化合物の無機塩またはそれらの混合物を含んでいてもよいがこれらに限定されない。
【０１３６】
一側面において、そのような方法は、前記表面または織物を任意に洗浄するおよび／またはリンスする工程を含み、前記表面または織物を、本明細書において開示されている任意の組成物と接触させ、次いで、前記表面または織物を任意に洗浄するおよび／またはリンスすることが、任意選択の乾燥工程とともに開示されている。
【０１３７】
そのような表面または織物の乾燥は、家庭用または工業用の何れかの設定において使用される一般的手段の何れか１つによって遂行され得る。普通の消費者または制度的使用条件で洗濯されることができる任意の織物を含んでいてもよく、本発明は、セルロース系基材に好適であり、一部の側面において、合成テキスタイル、たとえばポリエステルおよびナイロンならびに合成およびセルロース系織物および／または繊維を含む混合織物および／または繊維の処理にも好適である。合成織物の例としては、ポリエステル、ナイロンであり、これらは、セルロース系繊維との混合物、たとえば、ポリ綿織物で存在していてもよい。溶液は、典型的には、７〜１１、より通常は８〜１０．５のｐＨを有する。組成物は、典型的には、溶液中５００ｐｐｍ〜５，０００ｐｐｍの濃度で使用される。水温は、典型的には、約５℃〜約９０℃の範囲である。水対織物の比は、典型的には、約１：１〜約３０：１である。
【０１３８】
さらなる態様において、本発明は、テキスタイル材料を処理する家庭用方法であって、（ａ）テキスタイル材料をロイコポリマーの水溶液で処理する工程と、（ｂ）任意に、テキスタイル材料をリンスする工程と、（ｃ）任意に、テキスタイル材料を乾燥させる工程とを含む、方法を提供する。
【０１３９】
家庭用処理方法において使用されるロイコポリマーは、本発明の先の態様に関連して上述したロイコポリマーの何れかであることができる。ロイコポリマーは、水溶液中に、任意の好適な量で存在し得る。一側面において、水溶液は、約１０ｐｐｂ〜約５，０００ｐｐｍ、好ましくは約５０ｐｐｂ〜約２ｐｐｍのロイコポリマーを含む。そのような態様において、水溶液は、０．０ｇ／Ｌ〜約６ｇ／Ｌ、好ましくは約０．２ｇ／Ｌ〜約４ｇ／Ｌの量の界面活性剤をさらに含むことができる。さらに、家庭用処理方法において利用される水溶液は、上述した洗濯ケア組成物の何れかを好適な量の水と組み合わせることによって調製することができる。家庭用処理方法は、任意の好適な装置、たとえばシンクまたは家庭用衣類洗濯機内で実施することができる。
【０１４０】
下記の例は、上述した主題をさらに例証するものであるが、当然ながら、その範囲をいかようにも限定するものとして解釈されるべきではない。
【０１４１】
［例］
アルコキシル化ポリエチレンイミンの調製
第一級および第二級窒素原子上に（２×９）＋（１×１３）＝３１個のアミン水素を含有している１２２．２グラムの無置換の初期ポリエチレンイミン（ＰＥＩ１）を、圧力反応器に充填する。次に、１５０．１ｇのプロピレンオキシド（２．６ｍｏｌ、８３．９ｍｏｌ．％の第一級および第二級窒素原子のアミン水素）を反応器に添加する。反応物を、圧力が安定化するまで（約８時間）、１２０℃において圧力下でかき混ぜる。８３．９ｍｏｌ％のアミン水素を、２−ヒドロキシプロピル基または１−ヒドロキシプロパン−２−イル基によって置き代えて、生成物（ＰＥＩ２）を取得する。簡潔にするために、以下の構造において、２−ヒドロキシプロピル基のみが示されている。
【０１４２】
【化１３】
2019534358.tif 000014
【０１４３】
ロイコモノマーの調製
【０１４４】
【化１４】
2019534358.tif 000015
【０１４５】
ロイコアルコール３：メタノール（２５ｍＬ）中の、４，４’−ビス（ジメチルアミノ）ベンズヒドロール（１）（０．２７ｇ、１．０ｍｍｏｌ）、２−（メチルフェニルアミノ）エタノール（２）（０．１８ｇ、１．２ｍｍｏｌ）およびｐ−トルエンスルホン酸（ｐＴＳＡ）一水和物（０．７６ｇ、４ｍｍｏｌ）の溶液を、ディーンスタークトラップで９時間にわたって撹拌還流する。混合物を塩化メチレンで希釈し、重炭酸ナトリウム水溶液で３回洗浄する。有機層を無水ＭｇＳＯ４で乾燥させ、濾過する。濾液を真空で濃縮して、残留物を得て、これを、シリカゲル上でのカラムクロマトグラフィー（１：１  酢酸エチル／ヘキサン）によって精製して、ロイコアルコール中間体３を産出する。
ロイコトシレートの調製
【０１４６】
【化１５】
2019534358.tif 000016
【０１４７】
ロイコトシレート４：ロイコアルコール（３）（５ｇ、１２．４ｍｍｏｌ）、塩化ｐ−トルエンスルホニル（２．６ｇ、１３．５ｍｍｏｌ）、および触媒量のピリジン（０．２ｍＬ）のアセトニトリル（５０ｍＬ）溶液を、１２時間にわたって還流する。混合物を、塩化メチレンで希釈し、重炭酸ナトリウム水溶液で３回洗浄する。有機層を無水Ｎａ２ＳＯ４で乾燥させ、濾過する。濾液を真空で濃縮して、残留物を得て、これを、シリカゲル上でのカラムクロマトグラフィー（１：１  酢酸エチル／ヘキサン）によって精製して、ロイコトシレート中間体４を得る。
ロイコポリマー５の調製
ロイコポリマー５：ＰＥＩ２（４．９ｇ、１．８ｍｍｏｌ）およびロイコトシレート４（２ｇ、３．６ｍｍｏｌ）のジクロロエタン（２０ｍＬ）溶液を、６５℃で１２時間にわたって加熱する。反応を、薄層クロマトグラフィーを使用してモニターする。過剰のジクロロエタンをロータリーエバポレーターで蒸発させて、ロイコポリマー５を取得する。
【０１４８】
【化１６】
2019534358.tif 000017
【０１４９】
試験方法
ここでの試験方法において使用される織物見本は、Ｔｅｓｔｆａｂｒｉｃｓ，Ｉｎｃ．Ｗｅｓｔ  Ｐｉｔｔｓｔｏｎ、ＰＡから取得し、１００％綿、Ｓｔｙｌｅ  ４０３（２”×２”に切断）および／またはＳｔｙｌｅ  ４６４（４”×６”に切断）ならびに増白されていない多繊維織物、具体的にはＳｔｙｌｅ  ４１（５ｃｍ×１０ｃｍ）である。
【０１５０】
乾燥した織物見本に関する、Ｌ＊、ａ＊、ｂ＊、Ｋ／Ｓ、および白色度（ＷＩ  ＣＩＥ）値を含むすべての反射スペクトルおよび色測定は、４つの分光光度計：（１）Ｋｏｎｉｃａ−Ｍｉｎｏｌｔａ  ３６１０ｄ反射分光光度計（Ｋｏｎｉｃａ  Ｍｉｎｏｌｔａ  Ｓｅｎｓｉｎｇ  Ａｍｅｒｉｃａｓ，Ｉｎｃ．、Ｒａｍｓｅｙ、ＮＪ、ＵＳＡ；Ｄ６５照明、１０°観察者、ＵＶ光除外）、（２）ＬａｂＳｃａｎ  ＸＥ反射分光光度計（ＨｕｎｔｅｒＬａｂｓ、Ｒｅｓｔｏｎ、ＶＡ；Ｄ６５照明、１０°観察者、ＵＶ光除外）、（３）Ｃｏｌｏｒ−Ｅｙｅ（登録商標）７０００Ａ（ＧｒｅｔａｇＭａｃｂｅｔｈ、Ｎｅｗ  Ｗｉｎｄｓｏｒ、ＮＹ、ＵＳＡ；Ｄ６５光、ＵＶ除外）、または（４）Ｃｏｌｏｒ  ｉ７分光光度計（Ｘ−ｒｉｔｅ，Ｉｎｃ．、Ｇｒａｎｄ  Ｒａｐｉｄｓ、ＭＩ、ＵＳＡ；Ｄ６５光、ＵＶ除外）のうちの１つを使用して作製する。測定は、より小さい内部反復（たとえば、２”×２”のＳｔｙｌｅ  ４０３）を積み重ねることまたはより大きい織物見本（たとえば、４”×６”のｓｔｙｌｅ  ４６４）の折り畳みによって取得した、織物の２つの層を使用して実施する。
【０１５１】
織物を照射する場合、別段の指示がない限り、乾燥後の指定された織物を、タイプＳボロシリケート内側（品番２０２７７３００）および外側（品番２０２７９６００）フィルターを備え、３７℃の最大キャビネット温度、５７℃の最大ブラックパネル温度（ＢＰＴブラックパネル形状）および３５％のＲＨ（相対湿度）に設定された、Ａｔｌａｓ  Ｘｅｎｏｎ退色試験機Ｃｉ３０００＋（Ａｔｌａｓ  Ｍａｔｅｒｉａｌ  Ｔｅｓｔｉｎｇ  Ｔｅｃｈｎｏｌｏｇｙ、Ｍｏｕｎｔ  Ｐｒｏｓｐｅｃｔ、Ｉｌｌｉｎｏｉｓ、ＵＳＡ）で、４２０ｎｍにおいて０．７７Ｗ／ｍ２の放射照度を持つ模擬太陽光に曝露する。別段の指示がない限り、照射は、決まった期間にわたって連続的である。
Ｉ．洗浄溶液からロイコ化合物効率を決定するための方法
綿見本（Ｓｔｙｌｅ  ４０３）を、重質液体洗濯洗剤無増白剤（水溶液中１．５５ｇ／Ｌ）で、４９℃にて２回洗浄することにより、使用前に色抜きする。試験するそれぞれのロイコポリマーの濃縮ストック溶液を、エタノールまたは５０：５０  エタノール：水から選択される溶媒、好ましくはエタノール中で調製する。
【０１５２】
ベースの洗浄溶液は、重質液体洗濯洗剤無増白剤（５．２３ｇ／１．０Ｌ）を脱イオン水に溶解することによって調製する。４つの色抜きした綿見本を一緒に秤量し、２つの１０ｍｍのガラス玉とともに２５０ｍＬの三角フラスコに入れる。合計３つのそのようなフラスコを、試験するそれぞれの洗浄溶液について調製する。ベースの洗浄溶液にロイコポリマーストックを投入して、所望の２．０×１０−６Ｎ洗浄濃度のロイコ部分を持つ洗浄溶液を達成する。（例として、４９３．６５ｇ／当量ロイコ部分の当量重量を持つロイコポリマーの１．０ｐｐｍ洗浄溶液、または７５７．９７ｇ／当量ロイコ部分の当量重量を持つロイコ着色剤の１．５ｐｐｍ洗浄溶液は、２．０×１０−６Ｎがロイコ部分である洗浄溶液を提供する。）
１０．０：１．０  液体：織物（ｗ／ｗ）比を提供するために十分なこの洗浄溶液のアリコートを、３つの２５０ｍＬの三角フラスコのそれぞれに入れる。それぞれのフラスコに、１０００ｇｐｇのストック硬度溶液を投入して、６ｇｐｇ（３：１  Ｃａ：Ｍｇ）の最終洗浄硬度を達成する。
【０１５３】
フラスコを、モデル７５リストアクションシェーカー（Ｂｕｒｒｅｌｌ  Ｓｃｉｅｎｔｉｆｉｃ，Ｉｎｃ．、Ｐｉｔｔｓｂｕｒｇ、ＰＡ）に置き、最大設定で１２分間にわたってかき混ぜ、その後、洗浄溶液を吸引によって除去し、使用される洗浄溶液の量と同等の体積のリンス水（０ｇｐｇ）を添加する。それぞれのフラスコに、１０００ｇｐｇのストック硬度溶液を投入して、６ｇｐｇ（３：１  Ｃａ：Ｍｇ）の最終リンス硬度を達成した後、さらに４分かき混ぜる。リンスを吸引によって除去し、織物見本を１分間にわたって遠心脱水（Ｍｉｎｉ  Ｃｏｕｎｔｅｒｔｏｐ  Ｓｐｉｎ  Ｄｒｙｅｒ、Ｔｈｅ  Ｌａｕｎｄｒｙ  Ａｌｔｅｒｎａｔｉｖｅ  Ｉｎｃ．、Ｎａｓｈｕａ、ＮＨ）し、次いで、１３５°Ｆに設定した食品脱水機に入れて、暗所で２時間にわたって乾燥させる。
Ａ．乾燥後のダーク条件
綿織物についてのＬ＊、ａ＊、ｂ＊および白色度（ＷＩ  ＣＩＥ）値は、ＬａｂＳｃａｎ  ＸＥ反射分光光度計を使用して、乾燥手順の４８時間後、乾燥した見本上で測定する。それぞれのロイコ化合物について生成された１２の見本（３つのフラスコにそれぞれ４つの見本）のＬ＊、ａ＊およびｂ＊値を平均し、それぞれのロイコ化合物のロイコ化合物効率（ＬＣＥ：leuco compound efficiency）を、下記の方程式：
ＬＣＥ＝ＤＥ＊＝［（Ｌ＊ｃ−Ｌ＊ｓ）２＋（ａ＊ｃ−ａ＊ｓ）２＋（ｂ＊ｃ−ｂ＊ｓ）２］１／２
を使用して算出し、式中、下付き文字ｃおよびｓは、対照、すなわち、ロイコポリマーのない洗剤中で洗浄された織物、およびサンプル、すなわち、ロイコポリマーを含有する洗剤中で洗浄された織物をそれぞれ指す。
【０１５４】
それぞれの洗浄溶液について生成された１２の見本（３つのフラスコにそれぞれ４つの見本）のＷＩ  ＣＩＥ値を平均し、洗浄時における白色度の変化を、下記の方程式：
ΔＷＩ＝ＷＩ  ＣＩＥ（洗浄後）−ＷＩ  ＣＩＥ（洗浄前）
を使用して算出する。
Ｂ．乾燥後の光条件
消費者性向は世界中で大きく異なるため、使用される方法は、様々な条件にわたってロイコ化合物の利益を測定する可能性を考慮に入れなくてはならない。１つのそのような条件は、乾燥後の光への曝露である。一部のロイコ化合物は、ダークストレージ下では、光ストレージ下ほど大きい利益を呈さないため、最適な利益を決定するために、それぞれのロイコ化合物を両方の条件のセット下で試験しなくてはならない。したがって、方法Ｉは、測定が行われる前に、種々の時間増分にわたる乾燥させた織物の模擬太陽光への曝露を含み、ＬＣＥ値は、後述する曝露時間のセットから取得された最大値に設定される。
【０１５５】
乾燥後の指定された綿織物を、模擬太陽光に、１５分間、３０分間、４５分間、６０分間、７５分間、９０分間、１２０分間、および２４０分間にわたって曝露する。綿織物についての、Ｌ＊、ａ＊、ｂ＊および白色度（ＷＩ  ＣＩＥ）値を、ＬａｂＳｃａｎ  ＸＥ反射分光光度計を使用して、それぞれの曝露期間後、見本上で測定する。それぞれの曝露時点におけるＬＣＥおよびΔＷＩ値の算出は、上記の方法Ｉ．Ａ．において記述されている通りであり、ロイコ化合物についてのＬＣＥ値およびΔＷＩ値は、記載されている曝露時間のセットから取得された最大値に設定する。
ＩＩ．相対色相角を決定するための方法（対無ロイコ化合物）
上述した方法Ｉに従って処理される綿織物に、ロイコ化合物によって送達される相対色相角は、次の通りに決定される。
【０１５６】
ａ）それぞれの溶液からの１２の見本のａ＊およびｂ＊値を平均し、Δａ＊およびΔｂ＊を決定するために下記の式：
Δａ＊＝ａ＊ｓ−ａ＊ｃおよびΔｂ＊＝ｂ＊ｓ−ｂ＊ｃ
を使用し、式中、下付き文字ｃおよびｓは、ロイコ化合物のない洗剤中で洗浄された織物およびロイコ化合物を含有する洗剤中で洗浄された織物をそれぞれ指す。
【０１５７】
ｂ）Δａ＊とΔｂ＊の両方の絶対値が０．２５より小さい場合、相対色相角（ＲＨＡ）は算出されない。Δａ＊またはΔｂ＊の何れかの絶対値が０．２５以上である場合、ＲＨＡは、下記の式：
Δｂ＊≧０では、ＲＨＡ＝ＡＴＡＮ２（Δａ＊，Δｂ＊）
Δｂ＊＜０では、ＲＨＡ＝３６０＋ＡＴＡＮ２（Δａ＊，Δｂ＊）
の一方を使用して決定される。
【０１５８】
相対色相角は、乾燥後のダークまたは乾燥後の光評価の何れかにおいてデータが収集されたそれぞれの時点について算出することができる。これらの点の何れかを使用して、請求項の要件を満たすことができる。
ＩＩＩ．洗濯ケア調合物についての白色度における変化を決定するための方法
綿見本（Ｓｔｙｌｅ  ４０３）を、重質液体洗濯洗剤無増白剤（水溶液中１．５５ｇ／Ｌ）で、４９℃にて２回洗浄することにより、使用前に色抜きする。
【０１５９】
ベースの洗浄溶液は、洗濯ケア調合物（５．２３ｇ／１．０Ｌ）を脱イオン水に溶解することによって調製する。４つの色抜きした綿見本を一緒に秤量し、２つの１０ｍｍのガラス玉とともに２５０ｍＬの三角フラスコに入れる。合計３つのそのようなフラスコを調製する。
【０１６０】
１０．０：１．０  液体：織物（ｗ／ｗ）比を提供するために十分なこの洗浄溶液のアリコートを、３つの２５０ｍＬの三角フラスコのそれぞれに入れる。それぞれのフラスコに、１０００ｇｐｇのストック硬度溶液を投入して、６ｇｐｇ（３：１  Ｃａ：Ｍｇ）の最終洗浄硬度を達成する。
【０１６１】
フラスコを、モデル７５リストアクションシェーカー（Ｂｕｒｒｅｌｌ  Ｓｃｉｅｎｔｉｆｉｃ，Ｉｎｃ．、Ｐｉｔｔｓｂｕｒｇ、ＰＡ）に置き、最大設定で１２分間にわたってかき混ぜ、その後、洗浄溶液を吸引によって除去し、使用される洗浄溶液の量と同等の体積のリンス水（０ｇｐｇ）を添加する。それぞれのフラスコに、１０００ｇｐｇのストック硬度溶液を投入して、６ｇｐｇ（３：１  Ｃａ：Ｍｇ）の最終リンス硬度を達成した後、さらに４分かき混ぜる。リンスを吸引によって除去し、織物見本を１分間にわたって遠心脱水（Ｍｉｎｉ  Ｃｏｕｎｔｅｒｔｏｐ  Ｓｐｉｎ  Ｄｒｙｅｒ、Ｔｈｅ  Ｌａｕｎｄｒｙ  Ａｌｔｅｒｎａｔｉｖｅ  Ｉｎｃ．、Ｎａｓｈｕａ、ＮＨ）し、次いで、１３５°Ｆに設定した食品脱水機に入れて、暗所で２時間にわたって乾燥させる。
【０１６２】
綿織物についての、Ｌ＊、ａ＊、ｂ＊および白色度（ＷＩ  ＣＩＥ）値は、ＬａｂＳｃａｎ  ＸＥ反射分光光度計を使用し、上記の方法Ｉ．Ａ．および／またはＩ．Ｂ．に従って、乾燥した見本上で測定する。洗濯ケア調合物について生成された１２の見本（３つのフラスコにそれぞれ４つの見本）のＷＩ  ＣＩＥ値を平均し、洗浄時における白色度の変化を、下記の方程式：
ΔＷＩ＝ＷＩ  ＣＩＥ（洗浄後）−ＷＩ  ＣＩＥ（洗浄前）
を使用して算出する。
調合物例
下記は、本開示に従うクリーニング組成物の例証的な例であり、限定を意図するものではない。
【０１６３】
例１〜７
重質液体洗濯洗剤組成物
【０１６４】
【表１−１】
2019534358.tif 000018
【０１６５】
【表１−２】
2019534358.tif 000019
【０１６６】
例８〜１８
一回量包装組成物
これらの例は、一回量包装洗濯洗剤用の種々の調合物を提供する。組成物８〜１２は、単一の一回量包装コンパートメントを含む。組成物をカプセル化するために使用される膜は、ポリビニル−アルコールベースの膜である。
【０１６７】
【表２】
2019534358.tif 000020
【０１６８】
下記の例において、一回量包装は３つのコンパートメントを有するが、同様の組成物は、２つ、４つまたは５つのコンパートメントで作製され得る。コンパートメントをカプセル化するために使用される膜は、ポリビニルアルコールである。
【０１６９】
【表３】
2019534358.tif 000021
【０１７０】
【表４】
2019534358.tif 000022
【０１７１】
ＡＥ１．８Ｓは、Ｃ１２〜１５アルキルエトキシ（１．８）スルフェートである
ＡＥ３Ｓは、Ｃ１２〜１５アルキルエトキシ（３）スルフェートである
ＡＥ７は、７の平均エトキシル化度を持つＣ１２〜１３アルコールエトキシレートである
ＡＥ８は、８の平均エトキシル化度を持つＣ１２〜１３アルコールエトキシレートである
ＡＥ９は、９の平均エトキシル化度を持つＣ１２〜１３アルコールエトキシレートである
アミラーゼ１は、Ｎｏｖｏｚｙｍｅｓによって供給されるＳｔａｉｎｚｙｍｅ（登録商標）、１５ｍｇ活性物質／ｇである
アミラーゼ２は、Ｎｏｖｏｚｙｍｅｓによって供給されるＮａｔａｌａｓｅ（登録商標）、２９ｍｇ活性物質／ｇである
キシログルカナーゼは、Ｎｏｖｏｚｙｍｅｓによって供給されるＷｈｉｔｅｚｙｍｅ（登録商標）、２０ｍｇ活性物質／ｇである
キレート剤１は、ジエチレントリアミンペンタアセテート酸である
キレート剤２は、１−ヒドロキシエタン１，１−ジホスホン酸である
ディスパーシンＢは、１０００ｍｇ活性物質／ｇとして報告されるグリコシドヒドロラーゼである
ＤＴＩは、ポリ（４−ビニルピリジン−１−オキシド）（たとえばＣｈｒｏｍａｂｏｎｄ  Ｓ−４０３Ｅ（登録商標））またはポリ（１−ビニルピロリドン−コ−１−ビニルイミダゾール）（たとえばＳｏｋａｌａｎ  ＨＰ５６（登録商標））の何れかである。
【０１７２】
染料制御剤  本発明に従う染料制御剤、たとえば、Ｓｕｐａｒｅｘ（登録商標）Ｏ．ＩＮ（Ｍ１）、Ｎｙｌｏｆｉｘａｎ（登録商標）Ｐ（Ｍ２）、Ｎｙｌｏｆｉｘａｎ（登録商標）ＰＭ（Ｍ３）またはＮｙｌｏｆｉｘａｎ（登録商標）ＨＦ（Ｍ４）
ＨＳＡＳは、ＵＳ６，０２０，３０３およびＵＳ６，０６０，４４３において開示されている通りの中分枝アルキルスルフェートである
ＬＡＳは、平均脂肪族炭素鎖長Ｃ９〜Ｃ１５を有する直鎖状アルキルベンゼンスルホネートである（ＨＬＡＳは、酸形態である）。
【０１７３】
ロイコ着色剤  本発明に従う任意の好適なロイコ着色剤またはそれらの混合物。
【０１７４】
リパーゼは、Ｎｏｖｏｚｙｍｅｓによって供給されるＬｉｐｅｘ（登録商標）、１８ｍｇ活性物質／ｇである
Ｌｉｑｕｉｔｉｎｔ（登録商標）Ｖ２００は、Ｍｉｌｌｉｋｅｎによって提供されるチオフェンアゾ染料である
マンナナーゼは、Ｎｏｖｏｚｙｍｅｓによって供給されるＭａｎｎａｗａｙ（登録商標）、２５ｍｇ活性物質／ｇである
ヌクレアーゼは、１０００ｍｇ活性物質／ｇとして報告されるホスホジエステラーゼ配列番号１である
光学的増白剤１は、ジナトリウム４，４’−ビス｛［４−アニリノ−６−モルホリノ−ｓ−トリアジン−２−イル］−アミノ｝−２，２’−スチルベンジスルホネートである
光学的増白剤２は、ジナトリウム４，４’−ビス−（２−スルホスチリル）ビフェニル（ナトリウム塩）である
光学的増白剤３は、３Ｖ  Ｓｉｇｍａ製のＯｐｔｉｂｌａｎｃ  ＳＰＬ１０（登録商標）である
香水カプセル化物は、コア−シェルメラミンホルムアルデヒド香水マイクロカプセルである。
【０１７５】
研磨酵素は、１０００ｍｇ活性物質／ｇとして報告されるパラ−ニトロベンジルエステラーゼである
ポリマー１は、ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）［ここで、ｎ＝２０〜３０、ｘ＝３〜８である］またはその硫酸化もしくはスルホン化バリアントである
ポリマー２は、エトキシル化（ＥＯ１５）テトラエチレンペンタミンである
ポリマー３は、エトキシル化ポリエチレンイミンである
ポリマー４は、エトキシル化ヘキサメチレンジアミンである
ポリマー５は、Ｒｏｈｍ＆Ｈａａｓによって提供されるＡｃｕｓｏｌ  ３０５である
ポリマー６は、ＢＡＳＦによって提供される、酢酸ビニル側鎖でグラフト化したポリエチレングリコールポリマーである。
【０１７６】
プロテアーゼは、ＤｕＰｏｎｔによって供給されるＰｕｒａｆｅｃｔ  Ｐｒｉｍｅ（登録商標）、４０．６ｍｇ活性物質／ｇである
構造化剤は、水素化ヒマシ油である
ここで開示される寸法および値は、列挙されている正確な数値に厳密に限定されるものとして理解されるべきではない。それどころか、別段の定めがない限り、それぞれのそのような寸法は、列挙されている値とその値周辺の機能的に同等の範囲の両方を意味するように意図されている。たとえば、「４０ｍｍ」として開示されている寸法は、「約４０ｍｍ」を意味するように意図されている。
【０１７７】
あらゆる相互参照または関連特許または出願および本出願がその優先権または利益を主張するあらゆる特許出願または特許を含む、ここで引用されているすべての文書は、明示的に除外または別段限定されない限り、参照によりその全体がここに組み込まれる。任意の文書の引用は、それがここで開示されているまたは特許請求されている任意の発明に関わる先行技術であること、あるいはそれが単独でまたは任意の他の参考文献との任意の組合せで、任意のそのような発明を、教示する、示唆するまたは開示することの承認ではない。さらに、本文書における用語の任意の意味または定義が、参照により組み込まれる文書における同じ用語の任意の意味または定義と矛盾する限りでは、本文書においてその用語に割り当てられた意味または定義が優先するものとする。
【０１７８】
本発明の特定の態様を例証し記述してきたが、本発明の趣旨および範囲から逸脱することなく、種々の他の変更および修正が為され得ることが当業者には明らかであろう。したがって、添付の請求項において、本発明の範囲内であるすべてのそのような変更および修正を網羅することが意図されている。
【国際調査報告】
2019534358.tif 000024
2019534358.tif 000025